(57)【特許請求の範囲】
【請求項１】
ＬＥＤパッケージであって、
包装体要素と、
照明されたときに、４３０ｎｍから４８０ｎｍの範囲内にピーク波長を持つ光を発生する、固体発光素子と、および
励起されたときに、５５５ｎｍから５８５ｎｍの範囲内に主波長を持つ光を発生する、第１のルミネッセント材料と、を備え、
固体発光素子と第１のルミネッセント材料は、包装体要素内に埋め込まれており、
固体発光素子が照明されるときに、第１のルミネッセント材料は、固体発光素子から発生する光により励起され、
固体発光素子が照明されるときに、任意の付加的な光が存在しない場合に、ＬＥＤパッケージから発生する混合光は、１９３１年ＣＩＥ色度図上の第１、第２、第３、第４、および第５の線分により囲まれる領域内にある点を定義するｘ、ｙカラー座標を有する第１のグループの混合照明を有し、
第１の線分は、第１の点と第２の点とを接続し、前記第２の線分は、第２の点と第３の点とを接続し、前記第３の線分は、第３の点と第４の点とを接続し、第４の線分は、第４の点と第５の点とを接続し、第５の線分は、第５の点と第１の点とを接続し、
第１の点は、０．３２、０．４０のｘ、ｙ座標を持ち、第２の点は、０．３６、０．４８のｘ、ｙ座標を有し、第３の点は、０．４３、０．４５のｘ、ｙ座標を有し、第４の点は、０．４２、０．４２のｘ、ｙ座標を有し、かつ、第５の点は、０．３６、０．３８のｘ、ｙ座標を有していることを特徴とするＬＥＤパッケージ。
【請求項２】
照明装置であって、
少なくとも１つの固体発光素子を含む第１のグループの固体発光素子と、  
少なくとも１つの第１のルミネッセント材料と、を備え、
第１のグループの固体発光素子が照明され、第１のルミネッセント材料が励起されたとき、（１）該第１のグループの固体発光素子によって発光されて照明装置から出る光と、（２）第１のルミネセント材料によって発光されて照明装置から出る光との混合光は、１９３１年ＣＩＥ色度図上の第１、第２、第３、第４、及び第５の線分により囲まれる領域内にある点を定義するｘ、ｙカラー座標を有し、
第１の線分は、第１の点と第２の点とを接続し、前記第２の線分は、第２の点と第３の点とを接続し、前記第３の線分は、第３の点と第４の点とを接続し、第４の線分は、第４の点と第５の点とを接続し、第５の線分は、第５の点と第１の点とを接続し、
第１の点は、０．３２、０．４０のｘ、ｙ座標を持ち、第２の点は、０．３６、０．４８のｘ、ｙ座標を有し、第３の点は、０．４３、０．４５のｘ、ｙ座標を有し、第４の点は、０．４２、０．４２のｘ、ｙ座標を有し、かつ、第５の点は、０．３６、０．３８のｘ、ｙ座標を有している
ことを特徴とする照明装置。
【請求項３】
請求項２に記載の照明装置であって、
第１のグループの固体発光素子における全ての固体発光素子が照明されるとき、第１のルミネッセント材料のうち少なくともいくつかが、少なくとも１つの第１のグループの固体発光素子から発生される光によって励起される
ことを特徴とする照明装置。
【発明の詳細な説明】
【技術分野】
【０００１】
関連する出願への相互参照  
この出願は、２００６年４月１８日に出願された米国仮特許出願第６０／７９２，８５９号、名称“照明装置、および照明方法”の利益を主張するものであり、その出願の全体は、参照によりここに組み入れられる。
この出願は、２００６年４月２０日に出願された米国仮特許出願第６０／７９３，５２４号、名称“照明装置、および照明方法”の利益を主張するものであり、その出願の全体は、参照によりここに組み入れられる。
この出願は、２００６年１２月４日に出願された米国特許出願第１１／５６６，４４０号、名称“照明装置、および照明方法”（発明者：アントニー  ポール  ヴァンデヴェン、および、ジェラルド  Ｈ．ネグレイ）の利益を主張するものであり、その出願の全体は、参照によりここに組み入れられる。
この出願は、２００６年１２月１日に出願された米国仮特許出願第６０／８６８，１３４号、名称“照明装置、および照明方法”（発明者：ジェラルド  Ｈ．ネグレイ、および、アントニー  ポール  ヴァンデヴェン）の利益を主張するものであり、その出願の全体は、参照によりここに組み入れられる。  
【０００２】
発明の分野
本発明は、照明装置、特に、１つ、またはそれ以上の固体発光素子、および、１つ、またはそれ以上のルミネッセント材料（たとえば、１つ、またはそれ以上のリン発光体）を含む装置に関係する。本発明は、また、照明方法にも向けられている。
【背景技術】
【０００３】
発明の背景
毎年、米国において生成される電気の多くの部分（いくつかの見積りは、２５％と高い）は、照明に行っている。したがって、よりエネルギー効率の高い照明を与える、進行中の必要がある。白熱電球は、エネルギー効率のよくない光源であることはよく知られている − それらが消費する電気の約９０％は、光よりむしろ熱として開放される。蛍光灯バルブは、白熱電球より、（約１０倍だけ）より効率的であるが、しかし、発光ダイオード等の、固体発光素子に比較すると、まだ、きわめて非効率である。
【０００４】
さらに、固体発光素子の通常の寿命に比較すると、白熱電球は、相対的に短い寿命、たとえば、代表的に約７５０−１０００時間を持つ。比較するに、発光ダイオードは、たとえば、５０，０００時間、および、７０，０００時間の間のライフタイムを持つ。蛍光灯は、白熱灯より、より長い寿命（たとえば、１０，０００−２０，０００時間）を持つが、しかし、色再現の好ましさは低い。
【０００５】
色再現は、代表的に、演算色評価数（ＣＲＩ）を用いて測定される。Ｒａは、照明システムの演算色評価が、参照照明器（光源）のそれと、どのように比較されるかの相対的測定である。５，０００Ｋの色温度について、黒体放射が用いられ、かつ、５，０００Ｋ以上の色温度について、ＣＩＥ（国際照明委員会）により定義された１シリーズのスペクトルが用いられる。ＣＲＩ  Ｒａは、特定のランプにより照明されたときの、対象物の表面色のシフトの、参照光源により照明されたときの、対象物の表面色に対する差の平均である。該ＣＲＩ  Ｒａは、もし、照明システムにより照明されている１セットのテスト色の色座標が、参照ラジエータにより照射されている同じテストカラーの座標と同じであれば、１００に等しい。昼日光は、高いＣＲＩ（Ｒａは、ほぼ１００である）を持ち、白熱電球バルブはまた、相対的に近く（Ｒａは、９５より大きい）、かつ、蛍光灯は、より少なく正確である（代表的に、７０−８０のＲａ）。あるタイプの特殊化された照明は、大変低いＣＲＩを持つ（たとえば、水銀蒸気、または塩素ランプは、約４０、またはさらにより低い、のように低いＲａを持つ）。塩素光は、たとえば、光ハイウェイに使用されるが、 − ドライバー応答時間は、より低いＣＲＩ値であればあるほど減少する（任意の与えられた輝度に対して、視認性はより低いＣＲＩ値であればあるほど減少する。
【０００６】
従来の電灯設備 により直面される問題は、照明装置（たとえば、電灯バルブ等）を、周期的に置き換える必要である。このよう問題は、特に、アクセスが困難である（たとえば、丸天井、ブリッジ、高いビル、交通トンネル）ところで、および／または、交換コストが極端に高いところで表明されている。従来の電灯設備の代表的な寿命は、少なくとも約４４，０００時間の光発生装置の使用（２０年間にわたる１日６時間の使用に基づく）に対応する、約２０年である。光発生装置の寿命は、代表的にもっと小さく、これにより、周期的な交換の必要を生じる。
【０００７】
したがって、これらの、および他の理由により、努力は、固体発光素子を、白熱電球、蛍光灯、および他の光発生装置の代わりに、広い領域の応用において用いることのできる方法を、開発するために続けられてきた。さらに、発光ダイオード（または、他の固体光発光素子）が、すでに使われ続けているところでは、努力は、たとえば、エネルギー効率、演色評価数（ＣＲＩ）、コントラスト、有効性（ｌｍ／Ｗ）、および／または、サービス期間、に関して、改善された発光ダイオードを与えるよう、行われ続けている。
【０００８】
発光ダイオードは、電流を光に変換する半導体装置である。広い範囲の種々の固体発光ダイオードは、今も広がる目的の範囲のための、ますます広い分野において使用されている。
【０００９】
より特定的には、発光ダイオードは、電位差が、ｐｎ接合構造に対して印加されたとき、光（紫外線、可視光、または赤外線）を、発する半導体装置である。発光ダイオード、および、多くの関連する構造を作る多くの公知の方法があり、本発明は、任意のこのような装置を用いることができる。たとえば、Ｓｚｅの半導体装置の物理学（１９８１年、第２版）の第１２−１４章、および、Ｓｚｅの現代半導体装置物理学（１９９８）の第７章は、発光ダイオードを含む、広い範囲の光子装置を、記述している。
【００１０】
共通に認識され、商業的に入手可能な“ＬＥＤ”であって、（たとえば、）電子ショップにおいて売られているものは、多くの部品から作られている“パッケージされた”デバイスを表す。これらのパッケージされたデバイスは、代表的に、米国特許第４，９１８，４８７；５，６３１，１９０；および５，９１２，４７７号明細書に記述されたような（しかしそれらに限定されない）半導体ベースの発光ダイオード；種々のワイヤ接続、および、発光ダイオードを収容するパッケージを含む。
【００１１】
よく知られているように、発光ダイオードは、半導体活性（発光）層の導電帯と価電子帯との間のバンドギャップを横切って電子を励起することにより、光を生成する。電子の遷移は、エネルギーギャップに依存する波長で、光を発生する。このように、発光ダイオードにより発光された光の色（波長）は、発光ダイオードの活性層の半導体材料に依存する。
【００１２】
発光ダイオードの発展は、多くの態様で、照明産業を改革してきたが、発光ダイオードの特徴のいくつかは、多くの挑戦を提示してきており、そのいくつかはまだ十分に満たされていない。たとえば、任意の特定の発光ダイオードの発光スペクトルは、代表的に（発光ダイオードの組成、および構造により予言されるように）単一波長の周りに集中しており、これは、いくらかの応用には好ましいが、他のもののためには、好ましくないものである（たとえば、照明を与えるためには、このような発光スペクトルは、大変低いＣＲＩを与える）。
【００１３】
白と感じられる光は、必然的に、２つ、またはそれ以上の色の（または、波長の）ブレンドであるので、単一の発光ダイオード接合は、白色を発生することができるようには、開発されてきていない。“白色”光発光ランプは、赤、緑、および青のそれぞれの発光ダイオードにより形成される発光ダイオードピクセルを持って製造されてきた。他の、“白色”発光ダイオードは、(1) 青色光を発生する発光ダイオード、および、(2) 発光ダイオード により発光された光による励起に応答して黄色光を発するルミネッセント材料（たとえば、リン発光体）を含んで生成され、これにより、該青色光、および黄色光は、混合されたとき、白色光と感知される光を生成する。
【００１４】
さらに、非主要色の結合を生成する主要色の混合は、一般に、この、および他の技術において、よく理解されている。一般に、１９３１年のＣＩＥ色度図（１９３１年に設けられた主要色の国際標準）、および１９７６年のＣＩＥ色度図（１９３１年の色度図に類似しているが、該図上の同様の距離は、同様の色の差異を表現するよう修正されている。）は、色を、主要色の重み付け加算として定義するための、有用な参照を与える。
【００１５】
発光ダイオードは、このように、個々に、または、任意の結合において、任意に、１つ、またはそれ以上のルミネッセント材料（リン発光体、またはシンチレータ）、および／または、フィルターとともに使用されて、任意の所望の感受される色（白を含む）を生成することができる。したがって、現存する光源を、発光ダイオード光源により、たとえば、エネルギー効率、演色評価数（ＣＲＴ）、有効性（ｌｍ／Ｗ）、および／または、サービス期間、に関して改善するために置き換えるよう、努力がなされつづけている領域は、任意の特定の色の光、あるいは色のブレンドの光に、限定されるものではない。
【００１６】
広い多種多様性のルミネッセント材料（たとえば、その全体が参照によりここに組み入れられる、米国特許第６，６００，１７５号明細書に開示されているように、ルミファー、あるいはルミノフォリック材料としても知られている）は、公知であり、当業者にとって入手可能である。例えば、リン発光体は、たとえば、励起放射源により励起されたとき、反応性の放射（例えば、可視光線）を発するルミネッセント材料である。多くの場合、応答する放射は、励起する放射の波長と異なる波長を持つ。ルミネッセント材料の他の例は、紫外線を照射されると、可視スペクトル内において輝くシンチレーター、昼日グローテープ、およびインクを含む。
【００１７】
ルミネッセント材料は、ダウンコンバートするもの、すなわち、フォトンをより低いエネルギーレベル（より長い波長）に変換する材料である、あるいは、アップコンバートするもの、すなわち、フォトンをより高いエネルギーレベル（より短い波長）に変換する材料である、ものとして分類されることができる。
【００１８】
ルミネッセント材料を、ＬＥＤ装置内に含むことは、上記したように、ルミネッセント材料を、清浄なまたは半透明の収容材料（たとえば、エポキシ系、シリコーン系、またはガラスベース材料）に、たとえば、ブレンディングまたはコーティングプロセスにより、付加することにより遂行されてきた。
【００１９】
たとえば、米国特許第６，９６３，１６６号明細書（Ｙａｎｏ‘１６６）は、従来の発光ダイオードランプが、発光ダイオードチップ、発光ダイオードチップを覆うための弾丸形状透明ハウジング、電流を発光ダイオードチップに供給する導線、および、発光ダイオードチップの放射を一定の方向に反射するためのカップ反射器、そこにおいては、発光ダイオードチップは、第１の樹脂部分により収容されており、これは、さらに第２の樹脂部分により収容されている、を含むことを開示している。Ｙａｎｏ‘１６６によれば、第１の樹脂部分は、カップリフレクタを樹脂材料で満たし、それを、発光ダイオードチップが、カップリフレクタの底上にマウントされ、そののち、そのカソード、およびアノード電極が、ワイヤによりリードに電気的に接続された後に、キュアーすることにより得られる。Ｙａｎｏ‘１６６によれば、リン発光体は、発光ダイオードチップから出射された光Ａにより励起されるよう、第１の樹脂部分において分散され、該励起されたリン発光体は、光Ａより長い波長を持つ蛍光発光（“光Ｂ”）を生成し、該光Ａの一部は、リン発光体を含む第１の樹脂部分を通って送信され、結果として、光Ａと光Ｂの混合物である光Ｃが、照明として用いられる。
【００２０】
上記したように、“白ＬＥＤ光”（すなわち、白、または、白に近いと感受される光）は、白い白熱電球に対する可能な置き替えとして研究されて来た。白色ＬＥＤランプの代表的な例は、インジウムガリウム窒化物（ＩｎＧａＮ）、またはガリウム窒化物（ＧａＮ）から作られる青色発光ダイオードチップのパッケージ、これは、ＹＡＧ等のリン発光体によりコートされる、を含む。このようなＬＥＤランプにおいて、青色発光ダイオードチップは、約４５０ｎｍの波長を持つ放射を生成し、リン発光体は、その放射を受信したとき、約５５０ｎｍのピーク波長を持つ黄色の蛍光を生成する。たとえば、ある設計においては、白色発光ダイオードは、青色発光半導体発光ダイオードの外部表面上に、セラミックリン発光体層を形成することにより、製造される。発光ダイオードチップより出射される青色光の一部は、リン発光体を通過し、一方、該発光ダイオードチップより出射される青色光の一部は、リン発光体により吸収され、これは、励起され、黄色光を発する。発光ダイオードチップより出射され、リン発光体を通過した青色光の一部は、リン発光体により発射された黄色光と混合される。観察者は、青、および黄色の光の混合物を、白色光として感受する。
【００２１】
上記でも述べたように、もう１つのタイプのＬＥＤランプにおいては、紫外線を発する発光ダイオードチップは、赤（Ｒ）、緑（Ｇ）、および、青（Ｂ）光線を生成するリン発光体材料と結合されている。このような“ＲＧＢ  ＬＥＤランプ”において、発光ダイオードチップから放射された紫外光は、リン発光体を励起し、該リン発光体をして、赤、緑、および、青光線を発せしめ、それらは、混合されたとき、人間の目により、白色光として、感受される。したがって、白色光はまた、これらの光線の混合として、も得ることができる。
【００２２】
既存のＬＥＤ構成要素パッケージ、および他の電子回路が、１つの電気設備内にアセンブルされる設計が与えられてきた。このような設計において、パッケージ化されたＬＥＤは回路基板、またはヒートシンクに直接マウントされ、該回路基板はヒートシンクにマウントされ、かつ、該ヒートシンクは、所望の駆動電子回路とともに、固定ハウジングにマウントされる。多くの場合において、追加的な光学部品（パッケージ部品に対して２次的な）が、また必要である。
【００２３】
他の光源、たとえば、白熱電球バルブに代えて、発光ダイオードを置き換えるにおいて、パッケージ化されたＬＥＤは、従来の電灯設備、たとえば、中空レンズおよび該レンズに取り付けられたベースプレートを含み、該ベースプレートは、電源に電気的に結合された１つ、またはそれ以上のコンタクトを持つ従来のソケットハウジングを持つ、電灯設備について使用されてきた。たとえば、ＬＥＤ光バルブは、電気的回路基板、該回路基板にマウントされた複数のパッケージ化されたＬＥＤ、および、該回路基板に取り付けられ、かつ、該発光設備のソケットハウジングに接続されるよう適合された接続ポストよりなるよう構成され、ここで、前記複数のＬＥＤは、電源により照明されることができる。
【００２４】
固体発光素子、たとえば、発光ダイオードを用いて、より広い多様性のある応用において、白色光を、改善されたエネルギー効率をもって、改善されたＣＲＩを持って、改善された有効性（ｌｍ／Ｗ）を持って、および／または、より長いサービス期間をもって、与える方法についての、継続的な要求がある。
【特許文献１】米国特許出願第６０／７５３，１３８号
【特許文献２】米国特許出願第６０／７６１，３１０号
【特許文献３】米国特許出願第６０／７５２，７５３号
【特許文献４】米国特許出願第６０／７６１，８７９号
【特許文献５】米国特許第４，９１８，４８７号明細書
【特許文献６】米国特許第５，６３１，１９０号明細書
【特許文献７】米国特許第５，９１２，４７７号明細書
【特許文献８】米国特許第６，６００，１７５号明細書
【特許文献９】米国特許第６，９６３，１６６号明細書
【発明の開示】
【００２５】
発明の簡単なサマリー  
比較的効率的であるが、代表的に７５より低いＣＲＩ  Ｒａ値を持ち、貧弱なカラーレンダリングを持つ、かつ、特に、赤色のレンダリングにおいて欠陥があり、かつ、緑においてかなりの程度まで欠陥のある、“白”色ＬＥＤ光源がある。これは、代表的な人間の顔の色つや、食物品目、ラベリング、ペインティング、ポスター、サイン、アパレル、ホームデコレーション、植物、フラワーズ、自動車、等を含む多くのものが、白熱灯、または自然昼日光で照明されるのに比較して、奇妙な、または悪い色を表すことを意味する。代表的に、このような白いＬＥＤは、約５０００Ｋの色温度を持ち、これは一般に、一般の照明としては、視覚的に快適なものではなく、これはしかし、商業的プロデュース、または広告および印刷された資料の照明としては、望ましいものであり得る。
【００２６】
いくつかの、いわゆる“暖かい白い”ＬＥＤは、室内使用のための、より受け入れ可能な色温度（２７００−３５００Ｋ）、および、良いＣＲＩ（黄色と赤のリン発光体混合物の場合、Ｒａ＝９５と高い）をもつが、しかし、それらの有効性は、標準“冷たい白”ＬＥＤのそれの半分よりずっと小さい。
【００２７】
ＲＧＢ  ＬＥＤランプにより照明された色のついた対象物は、ときどき、それらの本当の色においては現われない。たとえば、黄色光のみを反映し、そのため、白色光により照明されたとき、黄色であるように現れる対象物は、ＲＧＢ  ＬＥＤ電灯設備の赤、および、緑のＬＥＤにより生成される、明らかな黄色を持つ光により照明されたとき、飽和から離れた状態とされ、灰色がかって現れる。このような電灯設備はそれゆえ、特に、一般照明におけるように種々の設定を照明するとき、および、特に自然シーンに関して、優秀なカラー演出を与えないものと考慮される。さらに、現在入手可能な緑ＬＥＤは、包帯的に非効率であり、このため、このようなランプの効率を制限している。
【００２８】
広い多様性の色合いを持つＬＥＤを用いることは、同様に、いくつかは低効率のものを含む、広い範囲の効率を持つＬＥＤｓの使用を必要とするものであり、これにより、このようなシステムの効率を低減し、多くの異なるタイプのＬＥＤを制御する回路網の複雑さと、コストを劇的に増大させ、かつ、該光の色バランスを維持する。
【００２９】
それゆえ、白ＬＥＤ（すなわち、比較的非効率の光源の使用を避けるもの）の効率および寿命を、受け入れ可能な色温度、および良いカラーレンダリングインデックス、広いあらゆる種類の、かつ簡単な制御回路と結合させる、高効率の白色光源の必要がある。
【００３０】
本発明によれば、驚くべきほど高いＣＲＩが、以下の(1)、(2)、および、(3)を組み合わせることにより、得ることができることが、予期せずに、発見された：  (1) ４３０ｎｍから４８０ｎｍの範囲内のピーク波長をもつ光を発する１つ、またはそれ以上の発光ダイオードから発せられる光、  (2) ５５５nm から５８５ｎｍの範囲内の主要波長を持つ光を発する１つ、またはそれ以上のルミファーから発せられる光、および、  (3) ６００nm から６３０ｎｍの範囲内の主要波長を持つ光を発する１つ、またはそれ以上の発光ダイオードから発せられる光。
【００３１】
特に、高いＣＲＩは、さらに、発光ダイオード、および、ルミファーが、もし、第１のグループの発光ダイオードのおのおのが照明され、かつ、前記第１のグループのルミファーのおのおのが励起されれば、前記第１のグループの発光ダイオードからの、および、前記第１のグループのルミファーからの、光の混合物は、任意の付加的な光のないところでは、第１のグループの混合された照明であって、１９３１年ＣＩＥ色度図上の、第１、第２、第３、第４、および第５の線分により囲まれる領域内にあるｘ、ｙカラー座標をもち、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ。
例えば、本願発明は以下の項目を提供する。
（項目１）
照明装置であって、
少なくとも１つの固体発光素子を含む第１のグループの固体発光素子と、
少なくとも１つの第１のルミネセント材料とを備え、
第１のグループの固体発光素子の各々は、４３０ｎｍ〜４８０ｎｍの範囲内のピーク波長を持つ光を発生し、
第１のルミネセント材料は、励起されたときに、５５５ｎｍ〜５８５ｎｍの範囲内の主波長を持つ光を発生し、
第１のグループの固体発光素子が照明されかつ第１のルミネセント材料が励起されたときに、第１グループの固体発光素子によって発生されて照明装置から出る光と、第１のルミネセント材料によって発生されて照明装置から出る光との混合された混合光が、１９３１年ＣＩＥ色度図上の第１、第２、第３、第４、及び第５の線分により囲まれる領域内にある点を定義するｘ、ｙカラー座標を有し、
第１の線分は、第１の点と第２の点とを接続し、前記第２の線分は、第２の点と第３の点とを接続し、前記第３の線分は、第３の点と第４の点とを接続し、第４の線分は、第４の点と第５の点とを接続し、第５の線分は、第５の点と第１の点とを接続し、
第１の点は、０．３２、０．４０のｘ、ｙ座標を持ち、第２の点は、０．３６、０．４８のｘ、ｙ座標を有し、第３の点は、０．４３、０．４５のｘ、ｙ座標を有し、第４の点は、０．４２、０．４２のｘ、ｙ座標を有し、かつ、第５の点は、０．３６、０．３８のｘ、ｙ座標を有していることを特徴とする照明装置。
（項目２）
項目１記載の照明装置において、第１のグループの固体発光素子の全て照明されたとき、これらの内の少なくとも１つの固体発光素子から発生された光によって、第１のルミネセント材料の少なくとも一部が励起されるよう構成されていることを特徴とする照明装置。
（項目３）
項目１記載の照明装置において、
第１のグループの固体発光素子全てが照明されたときに、該第１グループの固体発光素子によって発生されて照明装置から出る光と、第１のルミネセント材料によって発生されて照明装置から出る光との混合された光が、１９３１年ＣＩＥ色度図上の第１、第２、第３、第４、及び第５の線分により囲まれる領域内にある点を定義するｘ、ｙカラー座標を有し、
第１の線分は、第１の点と第２の点とを接続し、前記第２の線分は、第２の点と第３の点とを接続し、前記第３の線分は、第３の点と第４の点とを接続し、第４の線分は、第４の点と第５の点とを接続し、第５の線分は、第５の点と第１の点とを接続し、
第１の点は、０．３２、０．４０のｘ、ｙ座標を持ち、第２の点は、０．３６、０．４８のｘ、ｙ座標を有し、第３の点は、０．４３、０．４５のｘ、ｙ座標を有し、第４の点は、０．４２、０．４２のｘ、ｙ座標を有し、かつ、第５の点は、０．３６、０．３８のｘ、ｙ座標を有していることを特徴とする照明装置。
（項目４）
項目１−３いずれかに記載の照明装置において、
該照明装置は、第１のグループの固体発光素子それぞれに接続された第１の電源線を備え、
該第１の電源線に電流が供給されたときに、第１グループの固体発光素子によって発生されて照明装置から出る光と、第１のルミネセント材料によって発生されて照明装置から出る光との混合された光が、１９３１年ＣＩＥ色度図上の第１、第２、第３、第４、及び第５の線分により囲まれる領域内にある点を定義するｘ、ｙカラー座標を有し、
第１の線分は、第１の点と第２の点とを接続し、前記第２の線分は、第２の点と第３の点とを接続し、前記第３の線分は、第３の点と第４の点とを接続し、第４の線分は、第４の点と第５の点とを接続し、第５の線分は、第５の点と第１の点とを接続し、
第１の点は、０．３２、０．４０のｘ、ｙ座標を持ち、第２の点は、０．３６、０．４８のｘ、ｙ座標を有し、第３の点は、０．４３、０．４５のｘ、ｙ座標を有し、第４の点は、０．４２、０．４２のｘ、ｙ座標を有し、かつ、第５の点は、０．３６、０．３８のｘ、ｙ座標を有していることを特徴とする照明装置。
（項目５）
項目１−４いずれかに記載の照明装置において、
照明装置はさらに、第１グループの固体発光素子の少なくとも１つと第１のルミネセント材料とが包含された包装体要素を備え、
第１グループの固体発光素子が照明されたときに、第１グループの固体発光素子の少なくとも１つによって、第１のルミネセント材料が励起されるよう構成されていることを特徴とする照明装置。
（項目６）
項目１−５いずれかに記載の照明装置において、該照明装置はさらに、少なくとも１つの固体発光素子からなる第２のグループの固体発光素子を備え、第２のグループの固体発光素子は各々、照明されたときに、６００ｎｍ〜６３０ｎｍの範囲内の主波長を持つ光を発生するよう構成されていることを特徴とする照明装置。
（項目７）
項目６記載の照明装置において、第１及び第２のグループの固体発光素子が照明され、かつ、第１のルミネセント材料が励起されたときに、第１グループの固体発光素子によって発生されて照明装置を励起する光と、第１のルミネセント材料によって発生されて照明装置から出る光と、第２のグループの固体発光素子によって発生されて照明装置から出る光との混合された光が、１９３１年ＣＩＥ色度図上の黒体軌跡上の少なくとも１つの点の２０ステップＭａｃＡｄａｍ楕円内にある点を定義する、１９３１年ＣＩＥ色度図上のｘ、ｙカラー座標を有していることを特徴とする照明装置。
（項目８）
項目６又は７記載の照明装置において、
該照明装置は、第１及び第２のグループの固体発光素子それぞれに接続された電源線を備え、
該電源線に電流が供給されたときに、第１グループの固体発光素子によって発生されて照明装置から出る光と、第１のルミネセント材料によって発生されて照明装置から出る光と、第２のグループの固体発光素子によって発生されて照明装置から出る光との混合された光が、１９３１年ＣＩＥ色度図上の黒体軌跡上の少なくとも１つの点の２０ステップＭａｃＡｄａｍ楕円内にある点を定義する、１９３１年ＣＩＥ色度図上のｘ、ｙカラー座標を有していることを特徴とする照明装置。
（項目９）
項目６−８いずれかに記載の照明装置において、
第１のグループの固体発光素子は、複数の発光ダイオードよりなり、
第２のグループの固体発光素子は、複数の発光ダイオードよりなることを特徴とする照明装置。
（項目１０）
項目４−９いずれかに記載の照明装置において、該照明装置はさらに、電源線に接続されて該電源線の電流をオン・オフする少なくとも１つのスイッチを備えていることを特徴とする照明装置。
（項目１１）
項目１−１０いずれかに記載の照明装置において、混合光は、１９３１年ＣＩＥ色度図上の第１、第２、第３、第４の線分により囲まれる領域内にある点を定義するｘ、ｙカラー座標を有し、第１の線分は、第１の点と第２の点とを接続し、前記第２の線分は、第２の点と第３の点とを接続し、前記第３の線分は、第３の点と第４の点とを接続し、第４の線分は、第４の点と第１の点とを接続し、第１の点は、０．３２、０．４０のｘ、ｙ座標を持ち、第２の点は、０．３６、０．４８のｘ、ｙ座標を有し、第３の点は、０．４１、０．４５５のｘ、ｙ座標を有し、かつ、第４の点は、０．３６、０．３８のｘ、ｙ座標を有していることを特徴とする照明装置。
（項目１２）
項目７−１１いずれかに記載の照明装置において、混合された光は、少なくとも８０のＣＲＩを有することを特徴とする照明装置。
（項目１３）
項目１−１２いずれかに記載の照明装置において、該照明装置は、少なくとも２５ルーメン／ワットの効率を有することを特徴とする照明装置。
（項目１４）
項目１−１３いずれかに記載の照明装置において、
該照明装置は、相互に並列接続された少なくとも第１及び第２のＬＥＤストリングを備え、
第１のＬＥＤストリングは複数の第１のストリングＬＥＤで構成され、第１のストリング比は、第２のグループの固体発光素子に含まれる第１のストリングＬＥＤの数量を、第１のグループの固体発光素子に含まれる第１のストリングＬＥＤの数量で除算したものであり、
第２のＬＥＤストリングは複数の第２のストリングＬＥＤで構成され、第２のストリング比は、第２のグループの固体発光素子に含まれる第２のストリングＬＥＤの数量を、第１のグループの固体発光素子に含まれる第２のストリングＬＥＤの数量で除算したものであり、
第１のストリング比は第２のストリング比と異なっていることを特徴とする照明装置。
（項目１５）
項目１４記載の照明装置において、該照明装置はさらに、第１及び第２のＬＥＤストリングの一方に直接又はスイッチを介して接続され、該一方のＬＥＤストリングに供給される電流を調整する電流調整器を備えていることを特徴とする照明装置。
（項目１６）
項目１５記載の照明装置において、電流調整器は、１９３１年ＣＩＥ色度図上の黒体軌跡上の少なくとも１つの点の１０ステップＭａｃＡｄａｍ楕円内に混合された光が保持されるように、自動的に調整されるよう構成されていることを特徴とする照明装置。
（項目１７）
項目６−１６いずれかに記載の照明装置において、
第１のグループの固体発光素子は、照明されたときに、４４０ｎｍ〜４８０ｎｍの範囲内の主波長を有する光を放射し、
第１のルミネセント材料は全て、励起されたときに、５６０ｎｍ〜５８０ｎｍの範囲内の主波長を有する光を放射し、
第２のグループの固体発光素子は、照明されたときに、６０５ｎｍ〜６３０ｎｍの範囲内の主波長を有する光を放射することを特徴とする照明装置。
（項目１８）
項目６−１６いずれかに記載の照明装置において、
第１のグループの固体発光素子は全て、４３０ｎｍ〜４８０ｎｍ範囲の固体発光素子で構成され、
第１のルミネセント材料は、５５５ｎｍ〜５８５ｎｍ範囲のルミネセント材料で構成され、
第２のグループの固体発光素子は、６００ｎｍ〜６３０ｎｍ範囲の固体発光素子で構成されていることを特徴とする照明装置。
（項目１９）
項目６−１８いずれかに記載の照明装置において、該照明装置はさらに、第１及び第２の電源線を備えており、
第２のグループの固体発光素子のうちの、第１の電源線に直接又はスイッチ可能に電気的に接続された固体発光素子の数を、第１のグループのうちの、第１の電源線に直接又はスイッチ可能に接続された固体発光素子の数で除算した値を第１の電源線割合とし、かつ、第２のグループの固体発光素子のうちの、第２の電源線に直接又はスイッチ可能に電気的に接続された固体発光素子の数を、第１のグループのうちの、第２の電源線に直接又はスイッチ可能に接続された固体発光素子の数で除算した値を第２の電源線割合としたとき、第１の電源線割合と第２の電源線割合とが異なっていることを特徴とする照明装置。
（項目２０）
項目１９記載の照明装置において、第２の電源線割合は０であることを特徴とする照明装置。
（項目２１）
項目１９又は２０記載の照明装置において、該照明装置はさらに、第１及び第２の電源線の一方にスイッチ可能に電気的に接続されて、該電源線に流れる電流を調整する少なくとも１つの電流調整器を備えていることを特徴とする照明装置。
（項目２２）
項目２１記載の照明装置において、電流調整器は、混合された光が、１９３１年ＣＩＥ色度図上の黒体軌跡上の２２００Ｋ〜４５００Ｋの範囲内の少なくとも１つの点の２０ステップＭａｃＡｄａｍ楕円内に存在するように、自動的に調整するよう構成されていることを特徴とする照明装置。
（項目２３）
項目１９−２２いずれかに記載の照明装置において、該照明装置はさらに、第１及び第２の電源線の一方に接続されて、該電源線を選択的にオン・オフする少なくとも１つのスイッチを備えていることを特徴とする照明装置。
（項目２４）
項目２３記載の照明装置において、スイッチは、混合された光が、１９３１年ＣＩＥ色度図上の黒体軌跡上の２２００Ｋ〜４５００Ｋの範囲内の少なくとも１つの点の２０ステップＭａｃＡｄａｍ楕円内に存在するように、自動的にスイッチされるよう構成されていることを特徴とする照明装置。
（項目２５）
項目１９記載の照明装置において、該装置はさらに、
第１及び第２の電源線の一方に流れる電流を調整する少なくとも１つの電流調整器と、
第１及び第２の電源線の一方に接続されて、該電源線の電流をオン・オフする少なくとも１つのスイッチとを備え、
電流調整器及びスイッチは、混合された光が、１９３１年ＣＩＥ色度図上の黒体軌跡上の２２００Ｋ〜４５００Ｋの範囲内の少なくとも１つの点の２０ステップＭａｃＡｄａｍ楕円内に存在するように、自動的に調整及びスイッチするよう構成されていることを特徴とする照明装置。
（項目２６）
項目７−２５いずれかに記載の照明装置において、混合された光は、１９３１年ＣＩＥ色度図上のｘ、ｙ座標を有し、該ｘ、ｙ座標は、該１９３１年ＣＩＥ色度図上の上の黒体軌跡上の２２００Ｋ〜４５００Ｋの範囲内の少なくとも１つの点の１０ステップＭａｃＡｄａｍ楕円内に存在する点であることを特徴とする照明装置。
（項目２７）
項目７−２５いずれかに記載の照明装置において、混合された光は、１９３１年ＣＩＥ色度図上のｘ、ｙ座標を有し、該ｘ、ｙ座標は、該１９３１年ＣＩＥ色度図上の上の黒体軌跡上の２２００Ｋ〜４５００Ｋの範囲内の少なくとも１つの点の５ステップＭａｃＡｄａｍ楕円内に存在する点であることを特徴とする照明装置。
（項目２８）
項目７−２５いずれかに記載の照明装置において、混合された光は、１９３１年ＣＩＥ色度図上のｘ、ｙ座標を有し、該ｘ、ｙ座標は、該１９３１年ＣＩＥ色度図上の上の黒体軌跡上の２２００Ｋ〜４５００Ｋの範囲内の少なくとも１つの点の３ステップＭａｃＡｄａｍ楕円内に存在する点であることを特徴とする照明装置。
（項目２９）
項目７−２８いずれかに記載の照明装置において、該照明装置はさらに、混合された光の相関されたカラー温度を時度婦敵に調整する相関カラー温度調整器を備えていることを特徴とする照明装置。
（項目３０）
項目１−２９いずれかに記載の照明装置において、該照明装置はさらに、少なくとも１つのサーミスタを備えることを特徴とする照明装置。
（項目３１）
項目３０記載の照明装置において、該照明装置はさらに、少なくとも１つの電流調整器を備え、該電流調整器は、サーミスタにより検出された温度変化に応答して、少なくとも１つの固体発光素子に流れる電流を調整するよう構成されていることを特徴とする照明装置。
（項目３２）
項目３０又は３１記載の照明装置において、該照明装置はさらに、温度変化に応答して、少なくとも１つの固体発光素子に流れる電流を阻止する少なくとも１つの水位置を備えていることを特徴とする照明装置。
（項目３３）
項目１−３２いずれかに記載の照明装置であって、該照明装置は照明取り付け手段を備えていることを特徴とする照明器具。
（項目３４）
項目１−３３いずれかに記載の照明装置において、該照明装置はさらに、少なくとも１つの開口を有する少なくとも１つの反射要素を備えており、固体発光素子及び第１のルミネッセント材料は、１又は複数の固体発光素子及び第１のルミネッセント材料から放射された光が、反射要素の遠い方の端部から出るように配置されていることを特徴とする照明装置。
（項目３５）
項目１−３４いずれかに記載の照明装置において、該照明装置はさらに、固体発光素子の少なくとも１つのエネルギ源から電流を供給する電気回路を備えていることを特徴とする照明装置。
（項目３６）
項目３５記載の照明装置において、電気回路は、少なくとも１つのブースタを備えていることを特徴とする照明装置。
（項目３７）
項目３５又は３６記載の照明装置において、電気回路は、少なくとも１つのブリッジ型整流器を備えていることを特徴とする照明装置。
（項目３８）
項目１−３７記載の照明装置において、該照明装置はさらに、少なくとも１つの装着構造を備えていることを特徴とする照明装置。
（項目３９）
項目３８記載の照明装置において、装着機構は、少なくとも１つの回路盤を備えていることを特徴とする照明装置。
（項目４０）
項目３８又は３９記載の照明装置において、装着機構は、少なくとも１つのヒートシンクを備えていることを特徴とする照明装置。
（項目４１）
項目１−４０いずれかに記載の照明装置において、該照明装置はさらに、少なくとも１つの電源を備えていることを特徴とする照明装置。
（項目４２）
項目１−４１いずれかに記載の照明装置において、該照明装置はさらに、拡散素子からなり、固体発光素子及び第１のルミネッセント材料を包囲する包囲手段を備えていることを特徴とする照明装置。
（項目４３）
照明する方法であって、
少なくとも１つの固体発光素子を含む第１のグループの固体発光素子から、４３０ｎｍ〜４８０ｎｍの範囲内のピーク波長を持つ光を発生するステップと、
第１のルミネセント材料を励起して、５５５ｎｍ〜５８５ｎｍの範囲内の主波長を持つ光を発生するステップとからなり、
第１のグループの固体発光素子によって発光されて照明装置から出る光と、第１のルミネセント材料によって発光されて照明装置から出る光との混合された混合光が、１９３１年ＣＩＥ色度図上の第１、第２、第３、第４、及び第５の線分により囲まれる領域内にある点を定義するｘ、ｙカラー座標を有し、
第１の線分は、第１の点と第２の点とを接続し、前記第２の線分は、第２の点と第３の点とを接続し、前記第３の線分は、第３の点と第４の点とを接続し、第４の線分は、第４の点と第５の点とを接続し、第５の線分は、第５の点と第１の点とを接続し、
第１の点は、０．３２、０．４０のｘ、ｙ座標を持ち、第２の点は、０．３６、０．４８のｘ、ｙ座標を有し、第３の点は、０．４３、０．４５のｘ、ｙ座標を有し、第４の点は、０．４２、０．４２のｘ、ｙ座標を有し、かつ、第５の点は、０．３６、０．３８のｘ、ｙ座標を有していることを特徴とする照明方法。
（項目４４）
項目４３記載の照明方法において、該方法はさらに、少なくとも１つの固体発光素子からなる第２のグループの固体発光素子から、６００ｎｍ〜６３０ｎｍの範囲内の主波長を持つ光を発生するステップを備え、
第１のグループの固体発光素子によって発生されて照明装置から出る光と、第１のルミネセント材料によって発生されて照明装置から出る光と、第２のグループの固体発光素子によって発生されて照明装置から出る光との混合された混合光が、１９３１年ＣＩＥ色度図上の黒体軌跡上の少なくとも１つの点の１０ステップＭａｃＡｄａｍ楕円内に存在する点を規定する１９３１年ＣＩＥ色度図上にあるｘ、ｙカラー座標を有していることを特徴とする照明方法。
（項目４５）
項目４４記載の照明方法において、第１及び第２のグループの固体発光素子は、第１の電源線に接続されて、該第１の電源線に電流を供給することによって発光されることを特徴とする照明方法。
（項目４６）
項目４３−４５いずれかに記載の照明方法において、第１のルミネセント材料は、第１の固体発光素子によって発光された光によって励起されることを特徴とする照明方法。
（項目４７）
項目４４−４６いずれかに記載の照明方法において、混合光は、１９３１年ＣＩＥ色度図上のｘ、ｙ座標を有し、該ｘ、ｙ座標は、該１９３１年ＣＩＥ色度図上の上の黒体軌跡上の２２００Ｋ〜４５００Ｋの範囲内の少なくとも１つの点の２０ステップＭａｃＡｄａｍ楕円内に存在する点であることを特徴とする照明方法。
（項目４８）
項目４４〜４７いずれかに記載の照明方法において、混合光は、少なくとも８５のＣＲＩを有することを特徴とする照明方法。
（項目４９）
ＬＥＤ表示装置であって、
液晶と、
非白色光のルミネセント材料により変換される光を発生する発光ダイオードを備えた少なくとも１つの光源とを備えていることを特徴とするＬＥＤ表示装置。
（項目５０）
ＬＥＤ表示装置であって、
液晶と、
少なくとも１つの固体発光素子と少なくとも１つのルミネセント材料とを備えた少なくとも１つの光源とを備え、
第１の固体発光素子から発光された光の少なくとも第１の部分が、第１のルミネセント材料によって変換され、第１の固体発光素子によって発光された光の少なくとも第２の部分が第１のルミネセント材料によっては変換されず、これら第１及び第２の部分は混合されて、他の光が存在しない場合には、非白色の混合光を生成することを特徴とするＬＥＤ表示装置。
（項目５１）
項目５０記載のＬＥＤ表示装置において、第１の固体発光素子と第１のルミネセント材料の少なくとも一部分は、パッケージ装置として構成されていることを特徴とするＬＥＤ表示装置。
（項目５２）
項目５０記載のＬＥＤ表示装置において、
第１の固体発光素子は、４３０ｎｍ〜４８０ｎｍ範囲のピーク波長を有する光を発光し、
第１のルミネセント材料は、励起されると、５５５ｎｍ〜５８５ｎｍ範囲の主波長を有する光を発光するよう構成されていることを特徴とするＬＥＤ表示装置。
（項目５３）
項目５０記載のＬＥＤ表示装置において、
光源は、第１の固体発光素子を含んだ第１のグループの固体発光素子を備え、
第１のグループの固体発光素子が発光したとき、該第１のグループの固体発光素子によって発光されて光源から出る光と、第１のルミネセント材料によって発光されて光源から出る光との混合光は、他の光が存在しない場合に、サブ混合光を生成し、
該サブ混合光は、１９３１年ＣＩＥ色度図上の第１、第２、第３、第４、及び第５の線分により囲まれる領域内にある点を定義するｘ、ｙカラー座標を有し、第１の線分は、第１の点と第２の点とを接続し、前記第２の線分は、第２の点と第３の点とを接続し、前記第３の線分は、第３の点と第４の点とを接続し、第４の線分は、第４の点と第５の点とを接続し、第５の線分は、第５の点と第１の点とを接続し、第１の点は、０．３２、０．４０のｘ、ｙ座標を持ち、第２の点は、０．３６、０．４８のｘ、ｙ座標を有し、第３の点は、０．４３、０．４５のｘ、ｙ座標を有し、第４の点は、０．４２、０．４２のｘ、ｙ座標を有し、かつ、第５の点は、０．３６、０．３８のｘ、ｙ座標を有していることを特徴とするＬＥＤ表示装置。
（項目５４）
項目５０記載のＬＥＤ表示装置において、
該ＬＥＤ表示装置は電源線を備え、
光源は、第１の固体発光素子を含んだ第１のグループの固体発光素子を備え、
電源線に電流が供給されたとき、第１のグループの固体発光素子によって発光されて光源から出る光と、第１のルミネセント材料によって発光されて光源から出る光との混合光は、他の光が存在しない場合に、サブ混合光を生成し、
該サブ混合光は、１９３１年ＣＩＥ色度図上の第１、第２、第３、第４、及び第５の線分により囲まれる領域内にある点を定義するｘ、ｙカラー座標を有し、第１の線分は、第１の点と第２の点とを接続し、前記第２の線分は、第２の点と第３の点とを接続し、前記第３の線分は、第３の点と第４の点とを接続し、第４の線分は、第４の点と第５の点とを接続し、第５の線分は、第５の点と第１の点とを接続し、第１の点は、０．３２、０．４０のｘ、ｙ座標を持ち、第２の点は、０．３６、０．４８のｘ、ｙ座標を有し、第３の点は、０．４３、０．４５のｘ、ｙ座標を有し、第４の点は、０．４２、０．４２のｘ、ｙ座標を有し、かつ、第５の点は、０．３６、０．３８のｘ、ｙ座標を有していることを特徴とするＬＥＤ表示装置。
（項目５５）
項目５０記載のＬＥＤ表示装置において、
光源は、第１の固体発光素子を含んだ第１のグループの固体発光素子と、少なくとも１つの固体発光素子を含んだ第２のグループの固体発光素子を備え、
第１及び第２のグループの固体発光素子それぞれが発光したとき、該第１のグループの固体発光素子によって発光されて光源から出る光と、第１のルミネセント材料によって発光されて光源から出る光と、第２のグループの固体発光素子によって発光されて光源から出る光とにより混合光が生成され、
該混合光は、１９３１年ＣＩＥ色度図上の黒体軌跡上の少なくとも１つの点の１０ステップＭａｃＡｄａｍ楕円内にある点を規定する１９３１年ＣＩＥ色図上に存在するｘ、ｙ座標を有することを特徴とするＬＥＤ表示装置。
（項目５６）
項目５０記載のＬＥＤ表示装置において、第２のグループの固体発光素子は、６００ｎｍ〜６３０ｎｍの範囲の主波長を有する光を発光することを特徴とするＥＬＤ表示装置。
（項目５７）
項目５０記載のＬＥＤ表示装置において、
光源は、第１の固体発光素子を含む第１のグループの固体発光素子と、第１の固体発光素子を含む第２のグループの固体発光素子を備え、
ＬＥＤ表示装置は電源線を備え、
該電源線に電流が供給されたとき、第１のグループの固体発光素子によって発光されて光源から出る光と、第１のルミネセント材料によって発光されて光源から出る光と、第２のグループの固体発光素子によって発光されて光源から出る光とにより混合光が生成され、
該混合光は、１９３１年ＣＩＥ色度図上の黒体軌跡上の少なくとも１つの点の１０ステップＭａｃＡｄａｍ楕円内にある点を規定する１９３１年ＣＩＥ色図上に存在するｘ、ｙ座標を有することを特徴とするＬＥＤ表示装置。
（項目５８）
項目５０記載のＬＥＤ表示装置において、第１のルミネセント材料の少なくとも一部分はルミファであることを特徴とするＬＥＤ表示装置。
（項目５９）
照明を行う方法であって、
非白色ルミネセント材料変換の発光ダイオードを備えた少なくとも１つの光源を照明することによって、液晶を有するＬＥＤ表示装置を照明するステップを含んでいることを特徴とする方法。
（項目６０）
照明を行う方法であって、
少なくとも第１の固体発光素子及び少なくとも第１のルミネセント材料を備えた少なくとも１つの光源を照明することによって、液晶を有するＬＥＤ表示装置を照明するステップを備え、
第１の固体発光素子から発光された第１の部分の光が第１のルミネセント材料によって変換され、第１の固体発光素子から発光された第２の部分の光が第１のルミネセント材料によっては変換されず、第１及び第２の部分の光は、混合されて、他の光が存在しない場合に、非白色の混合光を生成することを特徴とする方法。
（項目６１）
項目６０記載の方法において、
第１の固体発光素子は、４３０ｎｍ〜４８０ｎｍの範囲にピーク波長を有する光を発光し、
第１のルミネセント材料は、５５５ｎｍ〜５８５ｎｍの範囲に主波長を有する光を発光することを特徴とする方法。
（項目６２）
項目６０記載の方法において、
光源は、第１の固体発光素子を含んだ第１のグループの固体発光素子を備え、
第１のグループの固体発光素子が発光したとき、該第１のグループの固体発光素子によって発光されて光源から出る光と、第１のルミネセント材料によって発光されて光源から出る光との混合光は、他の光が存在しない場合に、サブ混合光を生成し、
該サブ混合光は、１９３１年ＣＩＥ色度図上の第１、第２、第３、第４、及び第５の線分により囲まれる領域内にある点を定義するｘ、ｙカラー座標を有し、第１の線分は、第１の点と第２の点とを接続し、前記第２の線分は、第２の点と第３の点とを接続し、前記第３の線分は、第３の点と第４の点とを接続し、第４の線分は、第４の点と第５の点とを接続し、第５の線分は、第５の点と第１の点とを接続し、第１の点は、０．３２、０．４０のｘ、ｙ座標を持ち、第２の点は、０．３６、０．４８のｘ、ｙ座標を有し、第３の点は、０．４３、０．４５のｘ、ｙ座標を有し、第４の点は、０．４２、０．４２のｘ、ｙ座標を有し、かつ、第５の点は、０．３６、０．３８のｘ、ｙ座標を有していることを特徴とする方法。
（項目６３）
項目６０記載の方法において、
光源は、第１の固体発光素子を含んだ第１のグループの固体発光素子と、少なくとも１つの固体発光素子を含んだ第２のグループの固体発光素子を備え、
該方法はさらに、第２のグループの固体発光素子を発光するステップを含み、
第１のグループの固体発光素子によって発光されて光源から出る光と、第１のルミネセント材料によって発光されて光源から出る光と、第２のグループの固体発光素子によって発光されて光源から出る光とにより混合光が生成され、
該混合光は、１９３１年ＣＩＥ色度図上の黒体軌跡上の少なくとも１つの点の１０ステップＭａｃＡｄａｍ楕円内にある点を規定する１９３１年ＣＩＥ色図上に存在するｘ、ｙ座標を有することを特徴とする方法。
（項目６４）
項目６０記載の方法において、第２のグループの固体発光素子は、６００ｎｍ〜６３０ｎｍの範囲の主波長を有していることを特徴とする方法。
【００３２】
本発明の１つの側面において、前記発光ダイオード、および前記ルミファーは、前記第１のグループの発光ダイオードから、第１のグループのルミファーから、および、第２のグループの発光ダイオードから、発せられた光の混合物が、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にある１つの点を定義する、１９３１年ＣＩＥ色度図上の、ｘ、ｙ座標を持つ、第１グループ−第２グループ混合照明を生成するであろう。
【００３３】
さらに、驚くべきほど高いＣＲＩを、上述したように光を結合することにより、特に、上記で言及した光（２）（すなわち、５５５から５８５ｎｍの範囲内の主要波長を持つ光を発する、１つ、またはそれ以上のルミファーから出射される光）が、広いスペクトル光源、たとえば、黄色のルミファーから出射されるところで得ることができることが、予期せずに、発見された。
【００３４】
したがって、本発明の第１の側面においては、以下のものよりなる照明装置が、与えられる：
第１のグループの発光ダイオード；
第１のグループのルミファー；  および、
第２のグループの発光ダイオード；
ここで：
前記第１のグループの発光ダイオードのおのおのは、もし照明されれば、４３０ｎｍから４８０ｎｍの範囲内にピーク波長を持つ光を、発するであろう；
前記第１のグループのルミファーのおのおのは、もし励起されれば、５５５ｎｍから５８５ｎｍの範囲内に主要波長を持つ光を、発するであろう；
前記第２のグループの発光ダイオードのおのおのは、もし照明されれば、６００ｎｍから６３０ｎｍの範囲内に主要波長を持つ光を、発するであろう。
本発明のこの側面（および、本発明の他の側面）によるいくらかの実施形態において、該デバイスは、前記第１のグループの発光ダイオード内にない、付加的な４３０ｎｍから４８０ｎｍの発光ダイオード（すなわち、もし照明されれば、４３０ｎｍから４８０ｎｍの範囲内にピーク波長を持つ光を発するであろう発光ダイオード）を含むことができ、および／または、該デバイスは、前記第１のグループのルミファー内にない、付加的な５５５ｎｍから５８５ｎｍのルミファー（すなわち、もし励起されれば、５５５ｎｍから５８５ｎｍの範囲内に主要波長を持つ光を発するであろうルミファー）を含むことができ、および／または、前記第２のグループの発光ダイオード内にない、付加的な６００ｎｍから６３０ｎｍの発光ダイオード（すなわち、もし照明されれば、６００ｎｍから６３０ｎｍの範囲内に主要波長を持つ光を発するであろう発光ダイオード）を含むことができる。
【００３５】
本発明のこの側面（および、本発明の他の側面）によるいくらかの実施形態において、前記第１のグループの発光ダイオードは、該デバイス内の４３０ｎｍから４８０ｎｍの発光ダイオードのすべてよりなり、前記第１のグループのルミファーは、該デバイス内の５５５ｎｍから５８５ｎｍのルミファーのすべてよりなり、前記第２のグループの発光ダイオードは、該デバイス内の６００ｎｍから６３０ｎｍの発光ダイオードのすべてよりなる。
【００３６】
本発明の第２の側面によれば、以下のものよりなる照明装置が、与えられる：
第１のグループの発光ダイオード；
第１のグループのルミファー；  および、
第２のグループの発光ダイオード；
ここで：
前記第１のグループの発光ダイオードのおのおのは、もし照明されれば、４３０ｎｍから４８０ｎｍの範囲内にピーク波長を持つ光を、発するであろう；
前記第１のグループのルミファーのおのおのは、もし励起されれば、５５５ｎｍから５８５ｎｍの範囲内に主要波長を持つ光を、発するであろう；
前記第２のグループの発光ダイオードのおのおのは、もし照明されれば、６００ｎｍから６３０ｎｍの範囲内に主要波長を持つ光を、発するであろう；  かつ、  もし、前記第１のグループの発光ダイオードのおのおのが、（たとえば、標準１２０ＡＣリセプタクル内に、該照明装置に直接、またはスイッチ可能に電気的に接続された１つの電源線に電気的に接続された１つの電源プラグを、挿入することにより）照明され、かつ、前記第１のグループのルミファーのおのおのが、励起されれば、前記第１のグループの発光ダイオード、および前記第１のグループのルミファー、から出射された光の混合物は、任意の付加的な光のないところでは、１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を持つであろう。
【００３７】
本発明のこの側面によるいくらかの実施形態においては、該デバイスは、前記第１のグループの発光ダイオード内にない、付加的な４３０ｎｍから４８０ｎｍの発光ダイオードを含むことができ、および／または、該デバイスは、前記第１のグループのルミファー内にない、付加的な５５５ｎｍから５８５ｎｍのルミファーを含むことができ、および／または、該デバイスは、前記第２のグループの発光ダイオード内にない、付加的な６００ｎｍから６３０ｎｍの発光ダイオードを含むことができ、そこでは、もしこのような付加的な４３０ｎｍから４８０ｎｍの発光ダイオード、および／または、５５５ｎｍから５８０ｎｍのルミファーが、前記第１のグループの発光ダイオードのすべて、および前記第１のグループのルミファーのすべてに加えて、照明され、あるいは励起されれば、１９３１年ＣＩＥ色度図上の、上記のように定義された、第１、第２、第３、第４、および第５の線分により囲まれる領域内にはない、ｘ、ｙカラー座標をもつ結合された光が、生成されるであろう。
【００３８】
本発明のこの側面のいくらかの実施形態において、前記第１のグループの発光ダイオードは、該デバイスにおける４３０ｎmから４８０ｎｍの発光ダイオードのすべてよりなり、前記第１のグループのルミファーは、該デバイスにおける５５５ｎmから５８５ｎｍの発光ダイオードのすべてよりなり、かつ、前記第２のグループの発光ダイオードは、該デバイスにおける６００ｎmから６３０ｎｍの発光ダイオードのすべてよりなる。
【００３９】
本発明の第３の側面によれば、以下のことよりなる照明装置が与えられる：  第１のグループの発光ダイオード；  第１のグループのルミファー；  および、  第２のグループの発光ダイオード；  ここで：  前記第１のグループの発光ダイオードのおのおのは、もし照明されれば、４３０ｎｍから４８０ｎｍの範囲内のピーク波長を持つ光を発するであろう；  前記第１のグループのルミファーのおのおのは、もし励起されれば、約５５５ｎｍから約５８５ｎｍの範囲内の主要波長を持つ光を発するであろう；    前記第２のグループの発光ダイオードは、もし照明されれば、６００ｎｍから６３０ｎｍの範囲内の主要波長を持つ光を発するであろう；  かつ、  もし、前記第１のグループの発光ダイオードのおのおのが照明されれば、前記第１のグループの発光ダイオード、および前記第１のグループのルミファー、から出射された光の混合物は、任意の付加的な光のないところでは、前記１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を持つであろう。
【００４０】
本発明のこの側面によるいくらかの実施形態においては、前記第１のグループのルミファーの前記ルミファーの少なくともいくつかは、前記第１のグループの発光ダイオードから発光される光により励起される。
【００４１】
本発明のこの側面によるいくらかの実施形態においては、照明装置は、前記第１のグループの発光ダイオードのすべてが発光しているときであっても、該第１のグループの発光ダイオードのいずれから出射される光によっても励起されない、付加的な５５５ｎｍから５８５ｎｍのルミファーを、含むことができる。
【００４２】
本発明のこの側面によるいくらかの実施形態においては、照明装置は、付加的な５５５ｎｍから５８５ｎｍのルミファーを含むことができ、該付加的な５５５ｎｍから５８５ｎｍのルミファーは、(1) 前記第１のグループの発光ダイオードのいずれから出射される光によっても励起されないものであり、かつ、(2) それは、もしこのような付加的な５５５ｎｍから５８５ｎｍのルミファーが励起され、前記第１のグループの発光ダイオード内の４３０ｎｍから４８０ｎｍの発光ダイオードのすべてが、照明されれば、前記結合された光は、前記１９３１年ＣＩＥ色度図上の、第１、第２、第３、第４、および第５の線分により囲まれる領域内になない、ｘ、ｙカラー座標をもつであろう。
【００４３】
本発明の第４の側面によれば、以下のことよりなる照明装置が与えられる：
第１のグループの発光ダイオード；
第１のグループのルミファー；
第２のグループの発光ダイオード；  および、
照明装置に、直接、またはスイッチ可能に、電気的に接続された、少なくとも１つの電源線、
ここで：
前記第１のグループの発光ダイオードのおのおのは、もし照明されれば、４３０ｎｍから４８０ｎｍの範囲内にピーク波長を持つ光を、発するであろう；
前記第１のグループのルミファーのおのおのは、もし励起されれば、５５５ｎｍから５８５ｎｍの範囲内に主要波長を持つ光を、発するであろう；
前記第２のグループの発光ダイオードのおのおのは、もし照明されれば、６００ｎｍから６３０ｎｍの範囲内に主要波長を持つ光を、発するであろう；  かつ、
もし、電源が、前記少なくとも１つの電源線のうちの少なくとも１つに、（たとえば、標準１２０ＡＣリセプタクル内に、該電源線に、直接、またはスイッチ可能に電気的に接続された電源プラグを、挿入することにより、かつ、もし必要であれば、該電源線における１つ、またはそれ以上のスイッチを、閉じることにより）供給されれば、前記第１のグループの発光ダイオード、および前記第１のグループのルミファー、より、光の混合物が出射され、該光の混合物は、任意の付加的な光のないところでは、１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を、持つであろう。
【００４４】
本発明のこの側面によるいくらかの実施形態においては、該照明装置は、前記少なくとも１つの電源線のうちの少なくとも１つに接続されていない（しかし、何らかの他の電源線に接続され得る）、１つ、またはそれ以上の付加的な４３０ｎｍから４８０ｎｍの発光ダイオードを、含むことができ、かつ、それにおいては、もし、そのような付加的な４３０ｎｍから４８０ｎｍの発光ダイオードが、前記少なくとも１つの電源線に接続された４３０ｎｍから４８０ｎｍの発光ダイオードのすべて、に加えて照明されれば、該デバイス内の４３０ｎｍから４８０ｎｍの発光ダイオード、および該デバイス内の５５５ｎｍから５８５ｎｍのルミファーのすべて、から発光された結合された光は、任意の付加的な光のないところでは、１９３１年ＣＩＥ色度図上の、上記したように、第１、第２、第３、第４、および第５の線分により囲まれる領域内にあるｘ、ｙカラー座標をもつであろう。
【００４５】
本発明の第５の側面によれば、以下のものよりなる照明装置が与えられる：
第１のグループの発光ダイオード；
第１のグループのルミファー；
第２のグループの発光ダイオード；  および、
照明装置に、直接、またはスイッチ可能に、電気的に接続された、少なくとも１つの電源線、
ここで：
前記第１のグループの発光ダイオードのおのおのは、もし照明されれば、４３０ｎｍから４８０ｎｍの範囲内のピーク波長を持つ光を発するであろう；
前記第１のグループのルミファーのおのおのは、もし励起されれば、約５５５ｎｍから約５８５ｎｍの範囲内の主要波長を持つ光を発するであろう；
前記第２のグループの発光ダイオードは、もし照明されれば、６００ｎｍから６３０ｎｍの範囲内の主要波長を持つ光を発するであろう；かつ、
もし、電源が、前記１つ、またはそれ以上の電源線のおのおのに、（たとえば、標準１２０ＡＣリセプタクル内に、１つ、またはそれ以上のそれぞれの電源線に電気的に接続された１つ、またはそれ以上の電源プラグを、挿入することにより）供給されれば、該照明装置より、光が、出射され、該光は、１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、であろう。
【００４６】
本発明のこの側面によるいくらかの実施形態においては、照明装置は、該デバイス内の電源線のいずれかにも接続されていない、（または、電源線に接続されていない）４３０ｎｍから４８０ｎｍの発光ダイオードを含むことができ、かつ、それにおいては、もしこのような付加的な発光ダイオードが、前記少なくとも１つの電源線に接続された発光ダイオードのすべて、に加えて照明されれば、結合された光は、任意の付加的な光のないところでは、上記したように、１９３１年ＣＩＥ色度図上の、第１、第２、第３、第４、および第５の線分により囲まれた領域内にはない、ｘ、ｙカラー座標を、持つであろう。
【００４７】
本発明の第６の側面によれば、以下のものよりなる照明装置が与えられる：
第１のグループの発光ダイオード；
第１のグループのルミファー；
第２のグループの発光ダイオード；  および、
該照明装置に、直接、またはスイッチ可能に、電気的に接続された、少なくとも１つの電源線、
ここで：
前記第１のグループの発光ダイオードのおのおのは、もし照明されれば、４３０ｎｍから４８０ｎｍの範囲内のピーク波長を持つ光を発するであろう；
前記第１のグループのルミファーのおのおのは、もし励起されれば、約５５５ｎｍから約５８５ｎｍの範囲内の主要波長を持つ光を発するであろう；  かつ
前記第２のグループの発光ダイオードは、もし照明されれば、６００ｎｍから６３０ｎｍの範囲内の主要波長を持つ光を発するであろう；  かつ、ここで：
もし、(1) 前記第１のグループの発光ダイオードのおのおのが、照明され、(2) 前記第１のグループのルミファーのおのおのが、励起され、かつ、(3) 前記第２のグループの発光ダイオードが、照明されれば、前記第１のグループの発光ダイオードから、前記第１のグループのルミファーから、および前記第２のグループの発光ダイオードから、出射される光の混合物は、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にある１つの点を定義する、１９３１年ＣＩＥ色度図上のｘ、ｙ座標を持つ、第１グループ−第２グループ混合照明を生成するであろう。
【００４８】
本発明のこの側面によるいくらかの実施形態において、該デバイスは、前記第１のグループの発光ダイオード内にない付加的な４３０ｎｍから４８０ｎｍの発光ダイオードを含むことができ、および／または、該デバイスは、前記第１のグループのルミファー内にない付加的な５５５ｎｍから５８５ｎｍのルミファーを含むことができ、および／または、前記第２のグループの発光ダイオード内にない付加的な６００ｎｍから６３０ｎｍの発光ダイオードを含むことができ、ここで、もしこのような付加的な発光ダイオードの任意の結合が、前記第１のグループの発光ダイオードにおける発光ダイオードのすべて、に加えて励起されれば、前記第１のグループのルミファーにおけるルミファーのすべて、および、前記第２のグループの発光ダイオードにおける発光ダイオードのすべては、１９３１年ＣＩＥ色度図上の黒体軌跡上の約２２００Ｋから約４５００Ｋの範囲内の任意の点の１０ステップＭａｃＡｄａｍ楕円内（または、２０ステップＭａｃＡｄａｍ楕円内、または４０ステップＭａｃＡｄａｍ楕円内）にない１つの点を定義する、１９３１年ＣＩＥ色度図上の、ｘ、ｙ座標を持つ結合された光を生成するであろう。
【００４９】
本発明のこの側面によるいくらかの実施形態において、前記第１のグループの発光ダイオードは、該デバイス内の４３０ｎｍから４８０ｎｍの発光ダイオードのすべてよりなり、前記第１のグループのルミファーは、該デバイス内の５５５ｎｍから５８５ｎｍのルミファーのすべてよりなり、前記第２のグループの発光ダイオードは、該デバイス内の６００ｎｍから６３０ｎｍの発光ダイオードのすべてよりなる。
【００５０】
本発明の第７の側面によれば、以下のものよりなる照明装置が、与えられる：
第１のグループの発光ダイオード；
第１のグループのルミファー；  および、
第２のグループの発光ダイオード；
ここで：
前記第１のグループの発光ダイオードのおのおのは、もし照明されれば、４３０ｎｍから４８０ｎｍの範囲内のピーク波長を持つ光を発するであろう；
前記第１のグループのルミファーのおのおのは、もし励起されれば、約５５５ｎｍから約５８５ｎｍの範囲内の主要波長を持つ光を発するであろう；  かつ、
前記第２のグループの発光ダイオードは、もし照明されれば、６００ｎｍから６３０ｎｍの範囲内の主要波長を持つ光を発するであろう；  かつ、ここで：
もし、前記第１のグループの発光ダイオードのおのおのが、照明され、前記第２のグループの発光ダイオードのおのおのが、照明されれば、前記第１のグループの発光ダイオードから出射された光、前記第１のグループのルミファーから出射された光、および前記第２のグループの発光ダイオードから出射された光、の混合物は、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にある１つの点を定義する、１９３１年ＣＩＥ色度図上のｘ、ｙ座標を持つ、第１グループ−第２グループ混合照明を生成するであろう。
【００５１】
本発明のこの側面によるいくらかの実施形態において、前記第１のグループのルミファーにおける少なくともいくつかのルミファーは、前記第１のグループの発光ダイオードから出射された光により励起される。
【００５２】
本発明のこの側面によるいくらかの実施形態において、照明装置は、たとえ、前記第１のグループの発光ダイオード内の発光ダイオードのすべてが光を出射しているときであっても、前記第１のグループの発光ダイオード内の発光ダイオードのいずれかより出射される光によっても励起されない、付加的なルミファーを含むことができる。
【００５３】
本発明のこの側面によるいくらかの実施形態において、該照明装置は、付加的なルミファーを含むことができ、該付加的なルミファーは、(1) 前記第１のグループの発光ダイオード内の発光ダイオードのいずれかより出射される光によっても励起されない、かつ、(2) もしこのような付加的なルミファーが、前記第１のグループの発光ダイオード内の発光ダイオードのすべて、および、前記第２のグループの発光ダイオード内の発光ダイオードのすべて、に加えて、励起されれば、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にない１つの点を定義する、１９３１年ＣＩＥ色度図上のｘ、ｙ座標を持つ、結合された光を、生成するであろう。
【００５４】
本発明の第８の側面によれば、以下のものよりなる照明装置が与えられる：
第１のグループの発光ダイオード；
第１のグループのルミファー；  および、
第２のグループの発光ダイオード；
該照明装置に、直接に、または、スイッチ可能に電気的に接続された少なくとも１つの電源線、
ここで：
前記第１のグループの発光ダイオードのおのおのは、もし照明されれば、４３０ｎｍから４８０ｎｍの範囲内のピーク波長を持つ光を発するであろう；
前記第１のグループのルミファーのおのおのは、もし励起されれば、約５５５ｎｍから約５８５ｎｍの範囲内の主要波長を持つ光を発するであろう；
前記第２のグループの発光ダイオードは、もし照明されれば、６００ｎｍから６３０ｎｍの範囲内の主要波長を持つ光を発するであろう；  かつ、
もし、電源が、前記少なくとも１つの電源線の少なくとも１つに供給されれば、前記第１のグループの発光ダイオードから、前記第１のグループのルミファーから、および前記第２のグループの発光ダイオードから、出射される光の混合物は、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にある１つの点を定義する、１９３１年ＣＩＥ色度図上のｘ、ｙ座標を持つ、第１グループ−第２グループ混合照明を生成するであろう。
【００５５】
本発明のこの側面によるいくらかの実施形態において、該照明装置は、少なくとも１つの電源線に接続されていない（しかし、何らかの他の電源線に接続され得る）、１つ、またはそれ以上の付加的な４３０ｎｍから４８０ｎｍの発光ダイオード、および／または、１つ、またはそれ以上の付加的な６００ｎｍから６３０ｎｍの発光ダイオードを、含むことができ、かつ、それにおいては、もし、このような付加的な４３０ｎｍから４８０ｎｍの発光ダイオード、および／または、このような付加的な６００ｎｍから６３０ｎｍの発光ダイオードが、前記少なくとも１つの電源線に接続された、前記４３０ｎｍから４８０ｎｍの発光ダイオードのすべて、および、前記６００ｎｍから６３０ｎｍの発光ダイオードのすべてに、加えて照明されれば、出射される結合された光は、任意の付加的な光のないところでは、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にない１つの点を定義する、１９３１年ＣＩＥ色度図上のｘ、ｙ座標を持つであろう。
【００５６】
本発明の第９の側面によれば、以下のものよりなる照明装置が与えられる：
第１のグループの発光ダイオード；
第１のグループのルミファー；
第２のグループの発光ダイオード；  および、
照明装置に、直接に、または、スイッチ可能に電気的に接続された少なくとも１つの電源線、
ここで：
前記第１のグループの発光ダイオードのおのおのは、もし照明されれば、４３０ｎｍから４８０ｎｍの範囲内のピーク波長を持つ光を発するであろう；
前記第１のグループのルミファーのおのおのは、もし励起されれば、約５５５ｎｍから約５８５ｎｍの範囲内の主要波長を持つ光を発するであろう；
前記第２のグループの発光ダイオードは、もし照明されれば、６００ｎｍから６３０ｎｍの範囲内の主要波長を持つ光を発するであろう；  かつ、
もし、電源が、前記少なくとも１つの電源線のおのおのに供給されれば、前記第１のグループの発光ダイオードから、前記第１のグループのルミファーから、および前記第２のグループの発光ダイオードから出射された光の混合物は、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にある１つの点を定義する、１９３１年ＣＩＥ色度図上のｘ、ｙ座標を持つ、第１グループ−第２グループ混合照明を生成するであろう。
【００５７】
本発明のこの側面によるいくらかの実施形態において、該照明装置は、該デバイス内の、電源線のいずれにも接続されていない（あるいは、電源線に接続されていない）、付加的な４３０ｎｍから４８０ｎｍの発光ダイオード、および／または、付加的な６００ｎｍから６３０ｎｍの発光ダイオード、を含むことができ、かつ、それにおいては、もし、このような付加的な発光ダイオードのいずれかが、前記少なくとも１つの電源線に接続された前記発光ダイオードのすべて、に加えて照明されれば、結合された光は、任意の付加的な光のないところでは、１９３１年ＣＩＥ色度図上の黒体軌跡上の約２２００Ｋから約４５００Ｋの範囲内の任意の点の１０ステップＭａｃＡｄａｍ楕円内（または、２０ステップＭａｃＡｄａｍ楕円内、または４０ステップＭａｃＡｄａｍ楕円内）にない１つの点を定義する、１９３１年ＣＩＥ色度図上のｘ、ｙカラー座標を持つであろう。
【００５８】
本発明の第１０の側面によれば、以下のものよりなる照明装置が与えられる：  第１のグループの発光ダイオード；  第１のグループのルミファー；  第２のグループの発光ダイオード；  ここで：  前記第１のグループの発光ダイオードのおのおのは、もし照明されれば、４３０ｎｍから４８０ｎｍの範囲内のピーク波長を持つ光を発するであろう；  前記第１のグループのルミファーのおのおのは、もし励起されれば、約５５５ｎｍから約５８５ｎｍの範囲内の主要波長を持つ光を発するであろう；  前記第２のグループの発光ダイオードは、もし照明されれば、６００ｎｍから６３０ｎｍの範囲内の主要波長を持つ光を発するであろう；  かつ、ここで：  もし、前記第１のグループの発光ダイオードのおのおのが照明され、かつ、前記第１のグループのルミファーのおのおのが励起されれば、前記第１のグループの発光ダイオード、および、前記第１のグループのルミファー、から出射される光の混合物は、任意の付加的な光のないところでは、前記１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を、持つであろう；  かつ、  もし、(1) 前記第１のグループの発光ダイオードのおのおのが、照明され、(2) 前記第１のグループのルミファーのおのおのが、励起され、かつ、(3) 前記第２のグループの発光ダイオードのおのおのが、照明されれば、前記第１のグループの発光ダイオードから、前記第１のグループのルミファーから、および前記第２のグループの発光ダイオードから、出射される光の混合物は、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にある１つの点を定義する、１９３１年ＣＩＥ色度図上のｘ、ｙ座標を持つ、第１グループ−第２グループ混合照明を生成するであろう。
【００５９】
本発明のこの側面（および、本発明の他の側面）によるいくらかの実施形態において、該デバイスは、前記第１のグループの発光ダイオード内にない付加的な４３０ｎｍから４８０ｎｍの発光ダイオードを含むことができ、および／または、該デバイスは、前記第１のグループのルミファー内にない付加的な５５５ｎｍから５８５ｎｍのルミファーを含むことができ、および／または、前記第２のグループの発光ダイオード内にない付加的な６００ｎｍから６３０ｎｍの発光ダイオードを含むことができる。
【００６０】
本発明のこの側面（および、本発明の他の側面）によるいくらかの実施形態において、前記第１のグループの発光ダイオードは、該デバイス内の４３０ｎｍから４８０ｎｍの発光ダイオードのすべてよりなり、前記第１のグループのルミファーは、該デバイス内の５５５ｎｍから５８５ｎｍのルミファーのすべてよりなり、前記第２のグループの発光ダイオードは、該デバイス内の６００ｎｍから６３０ｎｍの発光ダイオードのすべてよりなる。
【００６１】
本発明の第１１の側面によれば、以下のものよりなる照明装置が与えられる：
第１のグループの発光ダイオード；
第１のグループのルミファー；
第２のグループの発光ダイオード；
ここで：
前記第１のグループの発光ダイオードのおのおのは、もし照明されれば、４３０ｎｍから４８０ｎｍの範囲内のピーク波長を持つ光を発するであろう；
前記第１のグループのルミファーのおのおのは、もし励起されれば、約５５５ｎｍから約５８５ｎｍの範囲内の主要波長を持つ光を発するであろう；
前記第２のグループの発光ダイオードは、もし照明されれば、６００ｎｍから６３０ｎｍの範囲内の主要波長を持つ光を発するであろう；  
かつ、ここで：
もし、前記第１のグループの発光ダイオードのおのおのが照明され、かつ、前記第１のグループのルミファーのおのおのが励起されれば、前記第１のグループの発光ダイオード、および、前記第１のグループのルミファー、から出射される光の混合物は、任意の付加的な光のないところでは、前記１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を持つであろう；  かつ、  もし、前記第１のグループの発光ダイオードのおのおのが、照明され、前記第１のグループのルミファーのおのおのが、励起されれば、前記第１のグループの発光ダイオードから出射された光、前記第１のグループのルミファーから出射された光、および前記第２のグループの発光ダイオードから出射された光の混合物は、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にある１つの点を定義する、１９３１年ＣＩＥ色度図上のｘ、ｙ座標を持つ、第１グループ−第２グループ混合照明を生成するであろう。
【００６２】
本発明のこの側面（および、本発明の他の側面）によるいくらかの実施形態において、該デバイスは、前記第１のグループの発光ダイオード内にない付加的な４３０ｎｍから４８０ｎｍの発光ダイオードを含むことができ、および／または、該デバイスは、前記第１のグループのルミファー内にない付加的な５５５ｎｍから５８５ｎｍのルミファーを含むことができ、および／または、該デバイスは、前記第２のグループの発光ダイオード内にない付加的な６００ｎｍから６３０ｎｍの発光ダイオードを含むことができる。
【００６３】
本発明のこの側面（および、本発明の他の側面）によるいくらかの実施形態において、前記第１のグループの発光ダイオードは、該デバイス内の４３０ｎｍから４８０ｎｍの発光ダイオードのすべてよりなり、前記第１のグループのルミファーは、該デバイス内の５５５ｎｍから５８５ｎｍのルミファーのすべてよりなり、前記第２のグループの発光ダイオードは、該デバイス内の６００ｎｍから６３０ｎｍの発光ダイオードのすべてよりなる。
【００６４】
本発明の第１２の側面によれば、以下のものよりなる照明装置が与えられる：  第１のグループの発光ダイオード；  第１のグループのルミファー；  第２のグループの発光ダイオード；  照明装置に、直接に、または、スイッチ可能に電気的に接続された少なくとも１つの電源線、  ここで：  前記第１のグループの発光ダイオードのおのおのは、もし照明されれば、４３０ｎｍから４８０ｎｍの範囲内のピーク波長を持つ光を発するであろう；  前記第１のグループのルミファーのおのおのは、もし励起されれば、約５５５ｎｍから約５８５ｎｍの範囲内の主要波長を持つ光を発するであろう；  前記第２のグループの発光ダイオードは、もし照明されれば、６００ｎｍから６３０ｎｍの範囲内の主要波長を持つ光を発するであろう；  かつ、  もし、電源が、前記少なくとも１つの電源線の少なくとも１つに供給されれば、前記第１のグループの発光ダイオード、および、前記第１のグループのルミファー、から出射された光の混合物は、任意の付加的な光のないところでは、前記１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を持つであろう；  もし、電源が、前記少なくとも１つの電源線の少なくとも１つに供給されれば、前記第１のグループの発光ダイオードから、前記第１のグループのルミファーから、および前記第２のグループの発光ダイオードから出射された光の混合物は、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にある１つの点を定義する、１９３１年ＣＩＥ色度図上のｘ、ｙ座標を持つ、第１グループ−第２グループ混合照明を生成するであろう。
【００６５】
本発明のこの側面（および、本発明の他の側面）によるいくらかの実施形態において、該デバイスは、前記少なくとも１つの電源線に接続されていない付加的な４３０ｎｍから４８０ｎｍの発光ダイオードを含むことができ、および／または、該デバイスは、前記少なくとも１つの電源線に接続されていない付加的な６００ｎｍから６３０ｎｍの発光ダイオードを含むことができる。
【００６６】
本発明のこの側面（および、本発明の他の側面）によるいくらかの実施形態において、前記第１のグループの発光ダイオードは、該デバイス内の４３０ｎｍから４８０ｎｍの発光ダイオードのすべてよりなり、前記第１のグループのルミファーは、該デバイス内の５５５ｎｍから５８５ｎｍのルミファーのすべてよりなり、前記第２のグループの発光ダイオードは、該デバイス内の６００ｎｍから６３０ｎｍの発光ダイオードのすべてよりなる。
【００６７】
本発明の第１３の側面によれば、以下のものよりなる照明装置が与えられる：  第１のグループの発光ダイオード；  第１のグループのルミファー；  第２のグループの発光ダイオード；  照明装置に、直接に、または、スイッチ可能に電気的に接続された少なくとも１つの電源線、  ここで：  前記第１のグループの発光ダイオードのおのおのは、もし照明されれば、４３０ｎｍから４８０ｎｍの範囲内のピーク波長を持つ光を発するであろう；  前記第１のグループのルミファーのおのおのは、もし励起されれば、約５５５ｎｍから約５８５ｎｍの範囲内の主要波長を持つ光を発するであろう；  前記第２のグループの発光ダイオードは、もし照明されれば、６００ｎｍから６３０ｎｍの範囲内の主要波長を持つ光を発するであろう；  かつ、  もし、電源が、前記少なくとも１つの電源線のおのおのに供給されれば、前記第１のグループの発光ダイオード、および、前記第１のグループのルミファー、から出射される光の混合物は、任意の付加的な光のないところでは、前記１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を持つであろう；  かつ、  もし、電源が、前記少なくとも１つの電源線のおのおのに供給されれば、前記第１のグループの発光ダイオードから、前記第１のグループのルミファーから、および前記第２のグループの発光ダイオードから出射された光の混合物は、１９３１年ＣＩＥ色度図上の黒体軌跡上の約２２００Ｋから約４５００Ｋの範囲内の少なくとも１つの点の１０ステップＭａｃＡｄａｍ楕円内（または、２０ステップＭａｃＡｄａｍ楕円内、または４０ステップＭａｃＡｄａｍ楕円内）にある１つの点を定義する、１９３１年ＣＩＥ色度図上のｘ、ｙ座標を持つ、第１グループ−第２グループ混合照明を生成するであろう。
【００６８】
本発明のこの側面（および、本発明の他の側面）によるいくらかの実施形態において、該デバイスは、前記少なくとも１つの電源線に接続されていない付加的な４３０ｎｍから４８０ｎｍの発光ダイオードを含むことができ、および／または、該デバイスは、前記少なくとも１つの電源線に接続されていない付加的な６００ｎｍから６３０ｎｍの発光ダイオードを含むことができる。
【００６９】
本発明のこの側面（および、本発明の他の側面）によるいくらかの実施形態において、前記第１のグループの発光ダイオードは、該デバイス内の４３０ｎｍから４８０ｎｍの発光ダイオードのすべてよりなり、前記第１のグループのルミファーは、該デバイス内の５５５ｎｍから５８５ｎｍのルミファーのすべてよりなり、前記第２のグループの発光ダイオードは、該デバイス内の６００ｎｍから６３０ｎｍの発光ダイオードのすべてよりなる。
【００７０】
本発明によれば、６００ｎｍから６３０ｎｍの発光ダイオードよりの光と、容易に混合されることのできる光を発生するのに用いられるのに有効な照明装置は、以下のものよりなることが、さらに決定された：  第１のグループの発光ダイオード；  および、  第１のグループのルミファー；  ここで：  前記第１のグループの発光ダイオードのおのおのは、もし照明されれば、４３０ｎｍから４８０ｎｍの範囲内のピーク波長を持つ光を発するであろう；  前記第１のグループのルミファーのおのおのは、もし励起されれば、約５５５ｎｍから約５８５ｎｍの範囲内の主要波長を持つ光を発するであろう；  かつ、  もし、前記第１のグループの発光ダイオードのおのおのが、照明され、かつ、前記第１のグループのルミファーのおのおのが、励起されれば、前記第１のグループの発光ダイオード、および前記第１のグループのルミファー、から出射される光の混合物は、任意の付加的な光のないところでは、前記１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を持つであろう。
【００７１】
したがって、本発明の第１４の側面においては、以下のものよりなる照明装置が、与えられる：
第１のグループの発光ダイオード；  および、
第１のグループのルミファー；
ここで：
前記第１のグループの発光ダイオードのおのおのは、もし照明されれば、４３０ｎｍから４８０ｎｍの範囲内のピーク波長を持つ光を発するであろう；
前記第１のグループのルミファーのおのおのは、もし励起されれば、約５５５ｎｍから約５８５ｎｍの範囲内の主要波長を持つ光を発するであろう；  かつ、
もし、前記第１のグループの発光ダイオードのおのおのが、照明され、かつ、前記第１のグループのルミファーのおのおのが、励起されれば、前記第１のグループの発光ダイオード、および前記第１のグループのルミファー、から出射される光の混合物は、任意の付加的な光のないところでは、前記１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を持つであろう。
【００７２】
本発明のこの側面によるいくらかの実施形態においては、該デバイスは、前記第１のグループの発光ダイオード内にはない付加的な４３０ｎｍから４８０ｎｍの発光ダイオードを含むことができ、および／または、該デバイスは、前記第１のグループのルミファー内にはない付加的な５５５ｎｍから５８５ｎｍのルミファーを含むことができ、もし、このような付加的な４３０ｎｍから４８０ｎｍの発光ダイオード、および／または、５５５ｎｍから５８０ｎｍのルミファーが、前記第１のグループの発光ダイオード内の発光ダイオードのすべて、および、前記第１のグループのルミファー内のルミファーのすべて、に加えて照明され、あるいは励起されれば、１９３１年ＣＩＥ色度図上の、上記のように定義された、第１、第２、第３、第４、および第５の線分により囲まれる領域内にはないｘ、ｙカラー座標をもつ結合された光が、生成されるであろう。
【００７３】
本発明のこの側面のいくらかの実施形態において、前記第１のグループの発光ダイオードは、該デバイスにおける４３０ｎmから４８０ｎｍの発光ダイオードのすべてよりなり、前記第１のグループのルミファーは、該デバイスにおける５５５ｎmから５８５ｎｍのルミファーのすべてよりなり、かつ、前記第２のグループの発光ダイオードは、該デバイスにおける６００ｎmから６３０ｎｍの発光ダイオードのすべてよりなる。
【００７４】
本発明の第１５の側面によれば、以下のものよりなる照明装置が与えられる：
第１のグループの発光ダイオード；  および、
第１のグループのルミファー；
ここで：
前記第１のグループの発光ダイオードのおのおのは、もし照明されれば、４３０ｎｍから４８０ｎｍの範囲内のピーク波長を持つ光を発するであろう；
前記第１のグループのルミファーのおのおのは、もし励起されれば、約５５５ｎｍから約５８５ｎｍの範囲内の主要波長を持つ光を発するであろう；  かつ、
もし、前記第１のグループの発光ダイオードのおのおのが、照明されれば、前記第１のグループの発光ダイオード、および前記第１のグループのルミファー、から発光された光の混合物は、任意の付加的な光のないところでは、前記１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を持つであろう。
【００７５】
本発明のこの側面によるいくらかの実施形態においては、該デバイスは、前記第１のグループの発光ダイオード内にはない付加的な４３０ｎｍから４８０ｎｍの発光ダイオードを含むことができ、および／または、該デバイスは、前記第１のグループのルミファー内にはない付加的な５５５ｎｍから５８５ｎｍのルミファーを含むことができ、もし、このような付加的な４３０ｎｍから４８０ｎｍの発光ダイオード、および／または、５５５ｎｍから５８０ｎｍのルミファーが、前記第１のグループの発光ダイオード内の発光ダイオードのすべて、および、前記第１のグループのルミファー内のルミファーのすべて、に加えて照明され、あるいは励起されれば、１９３１年ＣＩＥ色度図上の、上記のように定義された、第１、第２、第３、第４、および第５の線分により囲まれる領域内にはない、ｘ、ｙカラー座標をもつ結合された光が、生成されるであろう。
【００７６】
本発明の第１６の側面によれば、以下のことよりなる照明装置が与えられる：  第１のグループの発光ダイオード；  および、  第１のグループのルミファー；  ここで：  前記第１のグループの発光ダイオードのおのおのは、もし照明されれば、４３０ｎｍから４８０ｎｍの範囲内にピーク波長を持つ光を、発するであろう；  かつ、  前記第１のグループのルミファーのおのおのは、もし励起されれば、５５５ｎｍから５８５ｎｍの範囲内に主要波長を持つ光を、発するであろう。  本発明のこの側面（および、本発明の他の側面）によるいくらかの実施形態において、該デバイスは、前記第１のグループの発光ダイオード内にない付加的な４３０ｎｍから４８０ｎｍの発光ダイオードを含むことができ、および／または、該デバイスは、前記第１のグループのルミファー内にない付加的な５５５ｎｍから５８５ｎｍのルミファーを含むことができる。
【００７７】
本発明のこの側面（および、本発明の他の側面）によるいくらかの実施形態において、前記第１のグループの発光ダイオードは、該デバイス内の４３０ｎｍから４８０ｎｍの発光ダイオードのすべてよりなり、かつ、前記第１のグループのルミファーは、該デバイス内の５５５ｎｍから５８５ｎｍのルミファーのすべてよりなる。
【００７８】
本発明の第１７の側面によれば、以下のことよりなる照明装置が与えられる：
第１のグループの発光ダイオード；
第１のグループのルミファー；  および、
該照明装置に、直接、またはスイッチ可能に電気的に接続された、少なくとも１つの電源線、
ここで：
前記第１のグループの発光ダイオードのおのおのは、もし照明されれば、４３０ｎｍから４８０ｎｍの範囲内にピーク波長を持つ光を、発するであろう；
前記第１のグループのルミファーのおのおのは、もし励起されれば、５５５ｎｍから５８５ｎｍの範囲内に主要波長を持つ光を、発するであろう；  かつ、
もし、電源が、前記少なくとも１つの電源線のうちの少なくとも１つに供給されれば、光の混合物が、前記第１のグループの発光ダイオード、および前記第１のグループのルミファー、より出射され、該光の混合物は、任意の付加的な光のないところでは、１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、大１のグループの混合された照明を、持つであろう。
【００７９】
本発明のこの側面によるいくらかの実施形態においては、該照明装置は、前記少なくとも１つの電源線のうちの少なくとも１つに接続されていない（しかし、何らかの他の電源線に接続され得る）、１つ、またはそれ以上の付加的な４３０ｎｍから４８０ｎｍの発光ダイオードを、含むことができ、かつ、もし、そのような付加的な４３０ｎｍから４８０ｎｍの発光ダイオードが、前記少なくとも１つの電源線に接続された４３０ｎｍから４８０ｎｍの発光ダイオードのすべてに加えて照明されれば、該デバイス内の４３０ｎｍから４８０ｎｍの発光ダイオード、および該デバイス内の５５５ｎｍから５８５ｎｍのルミファーのすべて、から出射された結合された光は、任意の付加的な光のないところでは、１９３１年ＣＩＥ色度図上の、上記したように、第１、第２、第３、第４、および第５の線分により囲まれる領域内にあるｘ、ｙカラー座標をもつであろう。
【００８０】
本発明の第１８の側面によれば、以下のものよりなる照明装置が与えられる：
第１のグループの発光ダイオード；
第１のグループのルミファー；  および、
照明装置に、直接、またはスイッチ可能に、電気的に接続された、少なくとも１つの電源線、
ここで：
前記第１のグループの発光ダイオードのおのおのは、もし照明されれば、４３０ｎｍから４８０ｎｍの範囲内のピーク波長を持つ光を発するであろう；
前記第１のグループのルミファーのおのおのは、もし励起されれば、約５５５ｎｍから約５８５ｎｍの範囲内の主要波長を持つ光を発するであろう；  かつ、
もし、電源が、前記少なくとも１つの電源線のおのおのに供給されれば、該照明装置より、光が出射され、該光は、１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、であろう。
【００８１】
本発明のこの側面によるいくらかの実施形態においては、照明装置は、該デバイス内の電源線のいずれかにも接続されていない、（または、電源線に接続されていない）４３０ｎｍから４８０ｎｍの発光ダイオードを含むことができ、かつ、それにおいては、もしこのような付加的な発光ダイオードが、前記少なくとも１つの電源線に接続された発光ダイオードのすべてに加えて照明されれば、結合された光は、任意の付加的な光のないところでは、上記したように、１９３１年ＣＩＥ色度図上の、第１、第２、第３、第４、および第５の線分により囲まれた領域内にはないｘ、ｙカラー座標を、持つであろう。
【００８２】
本発明の第１９の側面によれば、以下のことよりなる照明方法が、与えられる：
第１のグループの少なくとも１つの発光ダイオードからの光、第１のグループの少なくとも１つのルミファーからの光、および第２のグループの少なくとも１つの発光ダイオードから発光された光を、混合し、混合光を形成すること；
前記第１のグループの少なくとも１つの発光ダイオードからの光は、４３０ｎｍから４８０ｎｍの範囲内のピーク波長を持つ；
前記第１のグループの少なくとも１つのルミファーからの光は、５５５ｎｍから５８５ｎｍの範囲内の主要波長を持つ；
前記第２のグループの少なくとも１つの発光ダイオードからの光は、６００ｎｍから６３０ｎｍの範囲内の主要波長を持つ。
本発明の第２０の側面によれば、以下のことよりなる照明方法が、与えられる：
少なくとも１つの発光ダイオード、および、少なくとも１つのルミファーからの光を、混合し、混合光を形成すること；
前記第１のグループの少なくとも１つの発光ダイオードからの光は、４３０ｎｍから４８０ｎｍの範囲内のピーク波長を持つ；
前記第１のグループの少なくとも１つのルミファーからの光は、５５５ｎｍから５８５ｎｍの範囲内の主要波長を持つ。
本発明の第２１の側面によれば、以下のものよりなるＬＥＤパッケージが与えられる：
収容要素；
１つの発光ダイオードであって、もし照明されれば、４３０ｎｍから４８０ｎｍの範囲内にピーク波長を持つ光を発するであろうもの；  および、
１つのルミファーであって、もし励起されれば、約５５５ｎｍから約５８５ｎｍの範囲内の主要波長を持つ光を発するであろうもの；
ここで：
前記発光ダイオード、および、前記ルミファーは、前記収容要素内に埋め込まれており；  かつ、
もし前記発光ダイオードが、照明されれば、前記ルミファーは、前記発光ダイオードにより励起されるであろう。
【００８３】
本発明のこの側面によるいくらかの実施形態においては、もし、発光ダイオードが照明されれば、前記発光ダイオード、および前記ルミファーから、光の混合物が出射され、該光の混合物は、１９３１年ＣＩＥ色度図上の、第１、第２、第３、第４、および第５の線分により囲まれる領域内にあるｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、該第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、かつ、前記第５の点は、０．３６、０．３８のｘ、ｙ座標を持つ、第１のグループの混合された照明を持つであろう。
【００８４】
前記発光ダイオードは、飽和されているものでもよく、飽和されていないものでもよい。用語“飽和された”は、ここで使用されているように、少なくとも８５％の純度を持つことを意味し、用語“純度”は、当業者によく知られた意味を持ち、かつ、該純度を計算する手続は、当業者によく知られている。
【００８５】
本発明に関連する側面は、１９３１年ＣＩＥ（照明国際委員会）色度図、または１９７６年ＣＩＥ色度図のいずれか上で表現されることができる。図１は、１９３１年ＣＩＥ色度図を示す。図２は、１９７６年色度図を示す。図３は、１９７６年色度図の拡大された部分を、黒体の場所を、より詳細に示すために示す。当業者は、これらの図をよく知っており、かつ、これらの図は、（たとえば、インターネット上で、“ＣＩＥ色度図”をサーチすることにより、）容易に利用可能である。
【００８６】
ＣＩＥ色度図は、２つのＣＩＥパラメータｘおよびｙ（１９３１年色度図の場合）、またはu’ およびv’ （１９７６年色度図の場合）により、人間のカラー感受性を描き出す。ＣＩＥ色度図の技術的説明のために、たとえば、「物理科学および技術百科事典」、 Vol. ７、２３０-２３１（ロバートＡメイヤー、１９８７版）を参照ください。スペクトルカラーは、人間の目によって認知される色合いのすべてを含む、外枠を描かれたスペースのエッジの周りに分布する。 境界線ラインは、スペクトルカラーのための、最大飽和を表現する。 上記したとおり、１９７６年ＣＩＥ色度図は、１９３１年色度図に、１９７６年図が、該図上の同様の距離は、認知される同様の色の差異をあらわすよう、修整されている点以外、類似している。
【００８７】
１９３１年の図において、該図上の点からのずれが、座標により、あるいは、感受される色の相違の程度に関する示しを与えるために、ＭａｃＡｄａｍ楕円により、のいずれかにより与えられ得る。たとえば、１９３１年図上の特定のセットの座標により定義される特定された色合いから１０ステップのＭａｃＡｄａｍ楕円以内であるとして定義される点の場所は、前記特定された色合いから共通の範囲だけ異なるとしておのおの感受される色合いからなる（かつ、ＭａｃＡｄａｍ楕円の他の量だけ、特定の色合いから間隔をあけて配置されていると定義される点の位置についても同様である。）
【００８８】
１９７６図上の同様の距離は、同様の感受される色の相違を表現するので、１９７６図上の点からのずれは、座標u’ およびv’ により、たとえば、点＝（Δu’ 2 + Δv'2) 1/2  からの距離により表現されることができ、おのおの特定の色合いから共通の距離にある点の位置により定義される色合いは、前記特定の色合いから共通の度合だけ異なるとおのおの感受される色合いよりなる。
【００８９】
図１−図３に示される色度図座標、およびＣＩＥ色度図は、多くの本、および、他の刊行物、たとえば、Ｋ．Ｈ．バトラー、“蛍光ランプリン発光体”（ペンシルベニア州立大学プレス１９８０）、９８−１０７ページ、および、Ｇ．ブラッセ等、“ルミネッセント材料”（スプリンガー出版社１９９４）、１０９−１１０ページ、に詳細に記述されており、ともに参照によりここに組み入れられる。
【００９０】
黒体軌跡に沿って横たわる色度座標（すなわち、カラー点）は、プランクの方程式：    Ｅ（λ） ＝ Ａλ -5／（ｅ(B/T) − １）  ここで、Ｅは、出射強度、λは、出射波長、Ｔは、黒体の色温度、ＡおよびＢは、定数である、に従う。黒体軌跡上、またはその近くに横たわるカラー座標は、人間の観察者に対し、楽しみのある白い光を引き出す。１９７６年のＣＩＥ図は、黒体軌跡に沿っての温度のリストを含む。これらの温度リストは、このような温度への増大をもたらす黒体放射体のカラーパスを示す。加熱された対象が、白熱体となるとき、それは最初に赤みを帯びて輝き、そののち、黄色っぽく輝き、そののち、白く輝き、そして、最後に、青みがかって輝く。これは、黒体放射体のピーク放射と関連する波長が、ウィーン変位法と一貫して、増大した温度とともにますます短くなるために起こる。黒体軌跡の上に、または近くにある光を生成する発光体は、このように、それらの色温度により記述されることができる。
【００９１】
また１９７６年ＣＩＥ図上に描かれているのは、指定Ａ、Ｂ、Ｃ、Ｄ、およびＥであり、これらは、それぞれ、照明体Ａ、Ｂ、Ｃ、Ｄ、およびＥとして、対応して特定された、いくつかの標準照明体により生成される光に言及している。
【００９２】
ＣＲＩ  Ｒａは、照明システムのカラー演出が、どのように、黒体放射体、または他の定義された参照のそれと比較されるかの相対的なメジャーである。該ＣＲＩ  Ｒａは、もし、照明システムにより照明される１組のテストカラーのカラー座標が、参照放射体により放射される同じテストカラーの座標と同じであれば、１００に等しい。
【００９３】
本発明は、添付図面、および発明の以下の詳細な説明を参照して、より十分に理解されるであろう。
【発明を実施するための最良の形態】
【００９４】
発明の詳細な記述
表現“相関のあるカラー温度”は、よく定義された意味（すなわち、当業者によって容易に、かつ、正確に、決定されることのできる意味で）、色においてもっとも近い黒体の温度に言及する、そのもっともよく知られた意味にしたがって使用される。  表現“直接、またはスイッチ可能に、電気的に接続されている”、は、“直接、電気的に接続されている”、または、“スイッチ可能に、電気的に接続されている”、を意味する。
【００９５】
ある装置における２つの構成要素が、“直接、電気的に接続されている”、との文章は、前記構成要素間に、該構成要素の挿入が、該デバイスにより提供される１つの機能、または、複数の機能に実質的に影響を与える何らの構成要素も、電気的に存在しないことを、意味する。
【００９６】
たとえば、２つの構成要素は、たとえもし、それらが、それらの間に、該デバイスによって与えられる１つの機能、または複数の機能に実質的に影響を与えない小さい抵抗をもっていたとしても、電気的に接続されている、と言うことができる（実際、２つの構成要素を結ぶワイヤは、小さい抵抗であると、考えることができる）；同様に、２つの構成要素は、たとえ、それらが、それらの間に、該デバイスが、付加的な機能を達成することのできるようにする付加的な電気的な構成要素をもってはいるが、該付加的な構成要素を含まないことを除いて同一である、該デバイスにより与えられる１つの機能、または、複数の機能に、実質的に影響を与えないものであれば、電気的に接続されている、と言うことができる；同様に、相互に直接接続されている、あるいは、回路基板上のワイヤ、またはトレースの対向するエンドに、直接接続されている２つの構成要素は、電気的に接続されている。
【００９７】
あるデバイス内の２つの構成要素が、“スイッチ可能に電気的に接続されている”というここでの文章は、該２つの構成要素間に、スイッチが配置されており、該スイッチは、選択的に閉じられ、あるいは、開かれる、ものであり、ここで、もし、スイッチが、閉じられていれば、２つの構成要素は、直接、電気的に、接続されており、もし、スイッチが開（すなわち、該スイッチが開である任意の時間期間の間）であれば、２つの構成要素は、電気的に接続されてはいない、ことを意味する。
【００９８】
発光ダイオードに言及するときにここで用いられる表現“照明された”は、少なくとも何らかの電流が、該発光ダイオードに供給されており、該発光ダイオードをして、少なくとも何らかの光を、発光せしめるようにすることを、意味する。該表現“照明された”は、該発光ダイオードが、光を連続的に発光している、あるいは、人間の目が、それを、光を連続的に発光しているように感受するレートで光を間欠的に発光している、あるいは、同じ色の、または異なる色の複数の発光ダイオードが、人間の目が、それらを、連続的に光を発光していると感受するであろう態様で、間欠的に、および／または、交互に、（時間“上”で、オーバーラップして、または、オーバーラップせずに）、（および、異なる色が、それらの色の混合物として、発光されている場合において）、光を、発光している状況をも、カバーするものである。
【００９９】
ルミファーに言及するときに、ここで使用される表現“励起される”は、少なくともいくらかの電磁的な放射（たとえば、可視光、ＵＶ光、または赤外光が）、該ルミファーに接触しており、該ルミファーをして、何らかの光を、発光せしめている、ことを意味する。
【０１００】
表現“励起される”は、該ルミファーが、光を連続的に発光している、あるいは、人間の目が、それを、光を連続的に発光しているように感受するレートで光を間欠的に発光している、あるいは、同じ色の、または異なる色の複数のルミファーが、人間の目が、それらを、連続的に光を発光していると感受するであろう態様で、間欠的に、および／または、交互に、（時間“上”で、オーバーラップして、または、オーバーラップせずに）、（および、異なる色が、それらの色の混合物として、発光されている場合において）、光を、発光している状況をも、カバーするものである。
【０１０１】
本発明によるデバイスにおいて使用される１つの発光ダイオード（あるいは、複数の発光ダイオード）、本発明によるデバイスにおいて使用される１つのルミファー（あるいは、複数のルミファー）は、当業者に知られた任意の発光ダイオード、およびルミファーの中から、選択されることができる。広い種々のこのような発光ダイオード、およびルミファーは、容易に得ることが可能であり、かつ、当業者によく知られており、かつ、それらのうちのいずれをも、用いることができる（たとえば、６００ｎｍから６３０ｎｍの発光ダイオードとして、ＡｌＩｎＧａＰ）。  このような発光ダイオードのタイプの例は、無機の、および、有機の、発光ダイオードを含み、そのおのおのの種々のものは、技術においてよく知られている。
【０１０２】
該１つ、またはそれ以上のルミネッセント材料は、任意の所望のルミネッセント材料であることができる。該１つ、またはそれ以上のルミネッセント材料は、ダウンコンバートするものでも、アップコンバートするものでもよく、あるいは、両タイプの結合を、含むことができる。たとえば、前記１つの、またはそれ以上のルミネッセント要素は、紫外線を照射したとき、可視光スペクトル内で発光する、リン発光体、シンチレータ、昼日グローテープ、インクの中から、選択することができる。
【０１０３】
前記１つ、またはそれ以上のルミネッセント材料は、設けられるとき、任意の望ましい形態で、設けることができる。たとえば、該ルミネッセント要素は、シリコーン材料、エポキシ、またはガラス等の、樹脂（すなわち、ポリマーマトリックス）内に埋め込まれることができる。さらに、該ルミネッセント材料は、実質的に透明なガラス、または、金属酸化物材料内に埋め込まれることができる。
【０１０４】
該１つの、またはそれ以上のルミファーは、個々に、任意のルミファーであることができ、広い種々のそれは、上記したように、当業者によく知られている。たとえば、該、または各ルミファーは、１つ、またはそれ以上のリン発光体よりなる（または、本質的に、により構成される、または、により構成される）ことができる。前記１つ、またはそれ以上のルミファーの、該ルミファー、または各ルミファーは、もし望まれれば、さらに、１つ、またはそれ以上の高度に透明の（たとえば、透明の、または実質的に透明の、またはいくぶん散乱性の）バインダー、たとえば、エポキシ、シリコーン、ガラス、または任意の他の適切な材料（たとえば、１、またはそれ以上のバインダーよりなる任意の与えられたルミファーにおいては、１つ、またはそれ以上の前期１つの、またはそれ以上のバインダー内に分散されることができる）よりなることができる。
【０１０５】
たとえば、該ルミファーが厚ければ厚いほど、一般に、該リン発光体の重量パーセントは、より低くあることができる。リン発光体の重量パーセントの代表的な例は、上記したように、ルミファーの全体厚によるが、約３．３重量パーセントから約４．７重量パーセントを含み、該リン発光体の重量パーセントは、一般に、任意の値、たとえば、０．１重量パーセントから１００重量パーセント（たとえば、純粋なリン発光体を、熱平衡加圧処理を受けせしめることにより形成されるルミファー）であり得る。いくらかの状況においては、約２０重量パーセントの重量パーセントが、有利である。
【０１０６】
該１つの、またはそれ以上のルミファーの、該ルミファーまたは各ルミファーは、独立に、さらに、数多くの公知の添加物、たとえば、拡散剤、散乱剤、ティント等の任意のものよりなる。
【０１０７】
本発明のいくつかの実施形態において、異なる電源線（すなわち、電気エネルギーを、発光ダイオードに運ぶことのできる任意の構造）は、異なるグループの発光ダイオードに（直接、またはスイッチ可能に）電気的に接続されており、かつ、各電源線に接続された発光ダイオードの相対的な量は、１つの電源線から次のものへで異なり、たとえば、第１の電源線は、第１のパーセントの４３０ｎｍから４８０ｎｍの発光ダイオードを含み、第２の電源線は、第２のパーセント（前記第１のパーセントと異なる）の４３０ｎｍから４８０ｎｍの発光ダイオードを含む。代表的な例として、第１、および第２の電源線は、おのおの、１００パーセントの４３０ｎｍから４８０ｎｍの発光ダイオードを含み、かつ、第３の電源線は、５０パーセントの４３０ｎｍから４８０ｎｍの発光ダイオードを含み、かつ、５０パーセントの６００ｎｍから６３０ｎｍの発光ダイオードを含む。そのようにすることにより、各波長の光の相対的強度を、容易に調整することができ、かつ、これにより、色度図内で有効にナビゲートすることができ、かつ／または、他の変化に対して補償することができる。たとえば、赤色光の強度は、必要な場合には、６００ｎｍから６３０ｎｍの発光ダイオードにより生成される光の強度の任意の低減を補償するために、増大されることができる。このように、たとえば、上記した代表的な例において、第３の電源線に供給される電流を増大することにより、または、前記第１の電源線、および／または第２の電源線に供給される電流を減少させることにより（および／または、前記第１の電源線、または前記第２の電源線への電源の供給を、妨害することにより）、前記発光ダイオードより発光される混合された光のｘ、ｙカラー座標は、適切に調整されることができる。
【０１０８】
本発明のいくつかの実施形態において、固体発光素子に電気的に接続された各電源線の１つ、またはそれ以上に直接、またはスイッチ可能に電気的に接続された１つ、またそれ以上の電流調整器が設けられており、これにより、該電流調整器は、各固体発光素子に供給される電流を調整するよう、調整されることができる。
【０１０９】
本発明のいくつかの実施形態においては、各電源線の１つに電気的の接続された１つ、またはそれ以上のスイッチが設けられており、これにより、該スイッチは、前記各電源線上の発光ダイオードへの電流を、選択的にオン、および、オフする。
【０１１０】
本発明のいくつかの実施形態においては、１つ、またはそれ以上の電流調整器、および／または、１つ、またはそれ以上のスイッチは、照明装置からの出力における検出された変化（たとえば、黒体軌跡から変化の範囲）に応答して、または、望ましいパターン（たとえば、結合された発光された光の相関する色温度を変える等、昼、または夜の時間に基づき）にしたがって、１つ、またはそれ以上の各電源線を通る光を、自動的に妨げる、および／または、調整する。
【０１１１】
本発明のいくつかの実施形態においては、さらに、温度を検出し、かつ、温度が変化したとき、１つ、またはそれ以上の電流調整器、および／または、１つ、またはそれ以上のスイッチをして、このような温度変化を補償するために、１つ、またはそれ以上の各電源線を通る電流を、自動的に妨げさせ、および／または、調整させるようにする、１つ、または、それ以上のサーミスタが、設けられている。一般に、６００ｎｍから６３０ｎｍの発光ダイオードは、それらの温度が増大するとき、調光を行う  −  このような実施形態においては、このような温度変化により生じた強度の変動に対して、補償を行うことができる。
【０１１２】
本発明のいくつかの実施形態においては、さらに、該照明装置における前記１つの、またはそれ以上の発光ダイオードの少なくとも１つを通る電流を供給し、かつ制御するための、１つ、またはそれ以上の回路網要素、たとえば、駆動電子回路が、含まれている。当業者は、電流を、発光ダイオードを通って供給し、かつ制御する広い種々の方法を、良く知っており、かつ、任意のこのような方法は、本発明の装置において用いることができる。たとえば、このような回路網は、少なくとも１つのコンタクト、少なくとも１つのリードフレーム、少なくとも１つの電流調整器、少なくとも１つの電源制御、少なくとも１つの電圧制御、少なくとも１つのブースト、少なくとも１つのキャパシタ、および／または少なくとも１つのブリッジ整流器を、含むことができ、当業者は、このような構成要素をよく知っており、かつ、どのような電流フロー特性が望まれてもこれを満たすよう、適切な回路網を設計することが、容易に可能である。
【０１１３】
本発明は、さらに、照明された包囲体、および、少なくとも１つの本発明による照明装置よりなる照明された包囲体に関係し、ここで、該照明装置は、該包囲体の少なくとも一部を照明する。  本発明は、さらに、表面、および、少なくとも１つの本発明による照明装置よりなる照明された表面に関係し、ここで、該照明装置は、該表面の少なくとも一部を照明する。
【０１１４】
本発明は、さらに、その中、またはその上に、本発明による少なくとも１つの照明装置を搭載した、構造、水泳プール、部屋、倉庫、表示器、道路、車両、道路標識、広告用掲示板、船、ボート、航空機、スタジアム、木、窓、ＬＣＤディスプレイ、洞窟またはトンネル、および、街灯柱よりなるグループから選択された少なくとも１つの領域よりなる。
【０１１５】
さらに、当業者は、多くの異なるタイプの照明のための、広い種々のマウント構造をよく知っており、かつ、任意のこのような構造は、本発明により用いることができる。たとえば、図４は、熱拡散要素１１（たとえば、アルミニウム等の、よい熱伝導特性を持つ材料により形成される）、絶縁領域１２（これは、適用されることができ、および／または、陽極酸化等により、それ自身内に形成されることができる）、高反射性表面１３（これは、日本の古河電工によって販売されるＭＣＰＥＴ、が塗布されることができる、積層されたアルミニウム、または銀であることができる、あるいは、たとえば研磨によりそれ自身内に形成されることができる）、導電性トレース１４、リードフレーム１５、パッケージされたＬＥＤ１６、反射性コーン１７、および、拡散要素１８を含む照明装置を描く。図４に描かれるデバイスは、さらに、導電性のトレース１４の下に、該導電性トレースとの意図しない接触（たとえば、人が衝撃を受けること）を避けるために、絶縁要素２８を含む。図４に描かれたデバイスは、任意の数のパッケージ化されたＬＥＤ（たとえば、５０まで、あるいは１００、あるいはそれ以上）を含むことができ、したがって、熱拡散要素１１ばかりでなく、絶縁領域１２、反射性表面１３、および、絶縁要素２８は、フラグメント化された構造により示されるように、図４に示される方向において、右に、または左に、任意の必要な距離伸びることができる（同様に、反射性コーン１７の両側は、右に、または左に任意の距離に位置することができる）。前記拡散要素１８は、前記反射性コーン１７、前記絶縁要素２８、前記熱拡散要素１１、または、任意の他の所望の構造に、任意の適切な方法で取り付けられることができ、当業者は、このような取り付けをよく知っており、広い種々の方法でこのような取り付けを容易に与えることができる。この実施形態、および他の実施形態においては、前記熱拡散要素１１は、該熱を、拡散し、ヒートシンクとして作用し、および／または、熱を消費するように働く。同様に、前記反射性コーン１７は、ヒートシンクとして働く。さらに、前記反射性コーン１７は、その反射特性を向上させるために、リッジ１９を含むことができる。
【０１１６】
図５は、本発明によるデバイスにおいて使用されることのできるパッケージ化されたＬＥＤの代表的な例を示す。図５を参照して、固体発光素子２１（この場合、光発光ダイオードチップ２１）、第１電極２２、第２電極２３、包囲体領域２４、前記発光ダイオードチップ２１がその中にマウントされている反射性要素２６、および、ルミファー２７よりなる照明デバイス２０が、示されている。任意のルミファー（たとえば、６００ｎｍから６３０ｎｍ発光ダイオード）、を含まないパッケージ化されたＬＥＤは、同様の方法で、しかしルミファー２７は含まずに、構成されることができる。当業者は、広い種々の他のパッケージ化された、および、パッケージ化されていないＬＥＤ構造をよく知っており、かつ容易に入手可能であり、それらの任意のものは、もし望まれれば、本発明により用いられることができる。
【０１１７】
本発明によるいくつかの実施形態においては、２００５年１２月２２日に提出された、名称“照明装置”、（発明者、ジェラルド  Ｈ．ネグレイ）の、米国特許出願第６０／７５３，１３８号、その全体の内容は、参照によりここに組み入れられる、に記述されているように、１つ、またはそれ以上の発光ダイオードは、１つ、またはそれ以上のルミファーとともにパッケージ内に収容されることができ、該パッケージ内の前記１つ、またはそれ以上のルミファーは、改善された光抽出効率を達成するよう、該パッケージ内の１つ、またはそれ以上の発光ダイオードから、間隔を置かれることができる。
【０１１８】
本発明によるいくつかの実施形態においては、２００６年１月２３日に提出された、名称“ルミファー膜を空間的に分離することによりＬＥＤにおけるスペクトル内容をシフトすること”、（発明者、ジェラルド  Ｈ．ネグレイ、および、アントニー  ヴァンデヴェン）の、米国特許出願第６０／７６１，３１０号、その全体の内容は、参照によりここに組み入れられる、に記述されているように、２つ、またはそれ以上のルミファーが、設けられることができ、該ルミファーの２つ、またはそれ以上は、互いに空間を置いて配置されている。
【０１１９】
本発明によるいくつかの実施形態においては、さらに、１つ、またはそれ以上の電源、たとえば、１つ、またはそれ以上のバッテリ、および／またはソーラーセル、および／または、１つ、またはそれ以上の標準ＡＣ電源プラグが、含まれている。
【０１２０】
本発明による照明装置は、任意の所望の数のＬＥＤおよびルミファーよるなることができる。たとえば、本発明による照明装置は、５０、またはそれ以上の発光ダイオードを含むことができ、あるいは、１００、またはそれ以上の発光ダイオード等を、含むことができる。一般に、現在の発光ダイオードでは、より大きい効率は、より大きい数ｎより小さい発光ダイオードを用いることにより達成することができる（たとえば、１００個の発光ダイオードであって、おのおのは、０．１ｍｍ2 の表面領域を持つもの、対、２５個の発光ダイオードであって、おのおのは、０．４ｍｍ2 の表面領域を持つもの、しかしそのほかは、同一であるもの）。
【０１２１】
同様に、より低い電流密度で動作する発光ダイオードは、一般に、より効率的である。任意の特定の電流を、引き出す発光ダイオードは、本発明によって使用されることができる。本発明の１つの側面においては、おのおの５０ミリアンペアより多くないものを引き出す発光ダイオードが使用される。
【０１２２】
他の実施形態は、より少ない数の、すなわち、青と赤のおのおの一つのようにより少ない、ＬＥＤを含むことができ、かつ、このようなものは、小型ＬＥＤ、または高出力ＬＥＤであり得るであろう；かつ、十分なヒートシンク化を行うことが高い電流で行われることを仮定して。高出力ＬＥＤの場合には、５Ａまで動作することが可能である。
【０１２３】
本発明の照明装置における可視光源は、任意の所望の態様で、配列され、マウントされ、電気を供給されることができ、かつ、任意の所望のハウジング、またはフィクスチャー上に、マウントされることができる。当業者は、広い種々の配列、マウントスキーム、電源供給装置、ハウジングおよびフィクスチャーをよく知っており、任意のこのような、配列、スキーム、装置、ハウジングおよびフィクスチャーは、本発明と関連して用いられることができる。本発明の照明装置は、任意の所望の電源に、電気的に接続されており（あるいは、選択的に接続されており）、当業者は、種々のこのような電源を、よく知っている。
【０１２４】
可視光源の配列、可視光源をマウントするスキーム、可視光源に電気を供給する装置、可視光源用のハウジング、可視光源のためのフィクスチャー、および、可視光源のための電源は、それらのすべては、本発明の照明装置に適切なものであるが、２００５年１２月２１日に提出された、名称“照明装置”、（発明者、ジェラルド  Ｈ．ネグレイ、および、アントニー  ポール  ヴァンデヴェン、およびニール  ハンター）の、米国特許出願第６０／７５２，７５３号、その全体の内容は、参照によりここに組み入れられる、に開示されている。
【０１２５】
前記発光ダイオード、およびルミファーは、任意の所望のパターンに配列されることができる。６００ｎｍから６３０ｎｍ（主要波長）発光ダイオード、ばかりでなく、４３０ｎｍから４８０ｎｍ（ピーク波長）発光ダイオードを含む本発明によるいくらかの実施形態においては、６００ｎｍから６３０ｎｍ発光ダイオードのいくらか、またはすべては、５つ、または６つの、４３０ｎｍから４８０ｎｍ発光ダイオード（そのいくらか、またはすべては、５５５ｎｍから５８５ｎｍルミファーを含む、あるいは、含まない）、たとえば、６００ｎｍから６３０ｎｍ発光ダイオード、および、４３０ｎｍから４８０ｎｍ発光ダイオードは、一般に水平に配列された行内に、かつ、相互に実質的に均等に離れて、配列されており、各行は、次の隣接する（たて方向に）行から、水平に隣接する発光ダイオード間の距離の半分だけ、水平にオフセットしており、かつ、ほとんどの位置において、２つの４３０ｎｍから４８０ｎｍ発光ダイオードが、各６００ｎｍから６３０ｎｍ発光ダイオードと、その同じ行内のもっとも近い近傍のものとの間に位置しており、かつ、各行の６００ｎｍから６３０ｎｍ発光ダイオードは、次の隣接する（たて方向に）行の最も近い６００ｎｍから６３０ｎｍ発光ダイオードから、水平に配置された隣接する発光ダイオード間の距離の１．５倍だけ、オフセットしているものである。代替的に、あるいは付加的に、本発明によるいくらかの実施形態においては、より明るい発光ダイオードのいくらか、あるいはすべては、発光ダイオードを調光する照明装置の中心により近接して配置されている。一般に、４３０ｎｍから４８０ｎｍ（ピーク波長）発光ダイオードの位置は、それらが、フィクスチャーの外側周縁により近接しているように配置され、かつ、６００ｎｍから６３０ｎｍ発光ダイオードが、フィクスチャーの周縁内に配置されるように、配置されている。
【０１２６】
本発明によるデバイスは、さらに、１つ、またはそれ以上の長寿命冷却装置（たとえば、きわめて長寿命のファン）を備えていてもよい。このような長寿命冷却装置は、“中国ファン”として、空気を移動させるピエゾ電気、または磁気抵抗材料（たとえば、ＭＲ、ＧＭＲ、および／または、ＨＭＲ材料）よりなることができる。本発明によるデバイスを冷却するにおいて、代表的に、境界層を破壊するに必要な空気のみが、１０から１５度の温度の低下を引き起こすのに必要とされる。したがって、このような場合には、強力な“ブリーズ”、または、大きな流量比（大きなＣＦＭ）は、代表的に必要ではない（これにより、従来のファンの必要を回避する）。
【０１２７】
本発明によるいくらかの実施形態においては、米国特許出願第６０／７６１，８７９号，２００６年１月２５日出願、名称“冷却を備えた照明装置”（発明者：トーマス  Ｇ．コールマン、ジェラルド  Ｈ．ネグレイ、および、アントニーポール  ヴァンデヴェン）、その全体が参照によりここに組み入れられる、において開示されたような、特徴のうちの任意のもの、たとえば、回路網、を用いることができる。
【０１２８】
本発明によるデバイスは、さらに、出射された光の投射された性質を、さらに変更する２次的な光学素子を、備えることができる。このような２次的な光学素子は、当業者によく知られており、かつ、ここで詳細に説明する必要はない − 任意のこのような２次的な光学素子を、もし望まれれば、使用することができる。
【０１２９】
本発明によるデバイスは、さらに、センサー、または充電装置、またはカメラ等を、備えることができる。たとえば、当業者は、１つ、またはそれ以上のできごとを検出し、かつ、このような検出に応答して、光の照明、安全カメラの活性化等をトリガーする装置（たとえば、対象物、または人の動きを検出する動き検出器）をよく知っており、これを容易に入手することができる。代表的な例として、本発明によるデバイスは、本発明による照明装置、および動きセンサーを含み、かつ、(1) 光が照明される間、もし動きセンサーが動きを検出すれば、安全カメラが活性化されて、検出された動きの位置での、またはその周りでのビジュアルデータを、記録する、または、(2) もし動きセンサーが動きを検出すれば、光が、検出された動きに近い領域を照らすよう照明され、安全カメラが活性化されて、検出された動きの位置での、またはその周りでの位置ビジュアルデータを記録するように、構成されることができる。
【０１３０】
室内居住照明のためには、２７００−３５００Ｋの色温度が、通常好まれる；オフィス空間のような商業用室内位置の室内照明のためには、および熱帯緯度における一般照明においては、３５００−５０００Ｋの室内色温度がしばしば好まれる；かつ、カラフルなシーンの室外洪水照明のためには、昼光を近似する色温度５０００Ｋ（４５００−６５００Ｋ）が、好まれる。
【０１３１】
ここで記述された照明装置の、任意の２つ、またはそれ以上の構造的部分は、集積されることができる。ここで記述された照明装置の、任意の構造的部分は、（もし必要であれば、一緒にもつことのできる）２つ、またはそれ以上の部分にて設けられることができる。
【図面の簡単な説明】
【０１３２】
【図１】図１は、１９３１年ＣＩＥ色度図を示す。
【図２】図２は、１９７６年色度図を示す
【図３】図３は、１９７６年色度図の、黒体軌跡を示すための、拡大された部分を示す。
【図４】図４は、本発明による照明装置の代表的な例の模式図である。
【図５】図５は、本発明による装置において使用されることのできるパッケージされたＬＥＤの代表的な例を描く。
【図１】
0005622824.tif 000002
【図２】
0005622824.tif 000003
【図３】
0005622824.tif 000004
【図４】
0005622824.tif 000005
【図５】
0005622824.tif 000006